(57)【要約】【課題】光漏れを抑制し、意匠性の高いプリーツスクリーンを提供する。【解決手段】本発明のプリーツスクリーンは、複数の昇降コード３Ｕ，３Ｌによって個別に昇降可能な上部スクリーン６Ｕ及び下部スクリーン６Ｌを備えており、複数の昇降コード３Ｕ，３Ｌのうち第１の昇降コード３Ｕ（又は３Ｌ）は上部スクリーン６Ｕの挿通孔４Ｕに挿通させ、複数の昇降コード３Ｕ，３Ｌのうち第２の昇降コード３Ｌ（又は３Ｕ）は上部スクリーン６Ｕの挿通孔４Ｕに挿通させないよう構成されている。【選択図】図２
2019070305.tif 000002
【特許請求の範囲】
【請求項１】
複数の昇降コードによって個別に昇降可能な上部スクリーン及び下部スクリーンを備えるプリーツスクリーンであって、
前記上部スクリーンと前記下部スクリーンのうち一方を昇降させるための第１の昇降コードは前記上部スクリーンに形成される挿通孔に挿通させ、
前記上部スクリーンと前記下部スクリーンのうち他方を昇降させるための第２の昇降コードは前記上部スクリーンに形成される挿通孔に挿通させないよう構成されていることを特徴とするプリーツスクリーン。
【請求項２】
前記第２の昇降コードは、前記下部スクリーンに形成される挿通孔に挿通させていることを特徴とするプリーツスクリーン。
【請求項３】
前記挿通孔の径を規定値として１．８ｍｍとし、前記第１の昇降コード及び前記第２の昇降コードの各々を規定値として０．７ｍｍとしたことを特徴とする、請求項１又は２に記載のプリーツスクリーン。
【請求項４】
前記上部スクリーンに形成される挿通孔は、前記上部スクリーンの前後方向における略中央部からオフセットした位置に形成されていることを特徴とする、請求項１から３のいずれか一項に記載のプリーツスクリーン。
【請求項５】
前記上部スクリーンに形成される挿通孔は、前記下部スクリーンに形成される挿通孔に対し前後方向でオフセットした位置に形成されていることを特徴とする、請求項１から４のいずれか一項に記載のプリーツスクリーン。
【請求項６】
前記上部スクリーンを所定ピッチで保持するためのピッチ保持コードを備え、前記ピッチ保持コードに設けられる環状の支持コードに前記第２の昇降コードを挿通することを特徴とする、請求項１から５のいずれか一項に記載のプリーツスクリーン。
【請求項７】
複数の昇降コードによって個別に昇降可能な上部スクリーン及び下部スクリーンを備えるプリーツスクリーンであって、
前記上部スクリーンを昇降させるための第１の昇降コードは前記上部スクリーンに形成される挿通孔に挿通させ、
前記下部スクリーンを昇降させるための第２の昇降コードは前記上部スクリーンに形成される挿通孔に挿通させず、前記下部スクリーンの前後方向幅中央から後方にオフセットした位置に形成した挿通孔に挿通させていることを特徴とするプリーツスクリーン。
【請求項８】
複数の昇降コードによって個別に昇降可能な上部スクリーン及び下部スクリーンを備えるプリーツスクリーンであって、
前記上部スクリーンを昇降させるための第１の昇降コードは前記上部スクリーンに形成される挿通孔に挿通させ、
前記下部スクリーンを前記上部スクリーンより後方にオフセットさせ、前記下部スクリーンを昇降させるための第２の昇降コードは前記上部スクリーンに形成される挿通孔に挿通させず前記下部スクリーンに形成される挿通孔に挿通させていることを特徴とするプリーツスクリーン。
【請求項９】
複数の昇降コードによって個別に昇降可能な上部スクリーン及び下部スクリーンを備えるプリーツスクリーンであって、
前記上部スクリーンを昇降させるための第１の昇降コードは前記上部スクリーンに形成される挿通孔に挿通させ、
前記下部スクリーンは前記上部スクリーンより前後方向幅が大きく形成され、前記下部スクリーンを昇降させるための第２の昇降コードは前記上部スクリーンに形成される挿通孔に挿通させず前記下部スクリーンに形成される挿通孔に挿通させていることを特徴とするプリーツスクリーン。
【請求項１０】
複数の昇降コードによって個別に昇降可能な上部スクリーン及び下部スクリーンを備えるプリーツスクリーンであって、
前記上部スクリーンを昇降させるための第１の昇降コードは前記上部スクリーンに形成される挿通孔に挿通させ、
前記下部スクリーンを昇降させるための第２の昇降コードは前記上部スクリーンに形成される挿通孔に挿通させず、前記下部スクリーンにおける上下方向多数段にジグザグ状に折り曲げられた各段の後端部に設けられた係合片に形成された挿通孔に挿通させていることを特徴とするプリーツスクリーン。
【請求項１１】
複数の昇降コードによって個別に昇降可能な上部スクリーン及び下部スクリーンを備えるプリーツスクリーンであって、
前記上部スクリーンを昇降させるための第１の昇降コードは前記上部スクリーンに形成される挿通孔に挿通させ、
前記下部スクリーンを昇降させるための第２の昇降コードは前記上部スクリーンに形成される挿通孔に挿通させず、前記下部スクリーンにおける上下方向多数段にジグザグ状に折り曲げられた各段に形成される挿通孔に挿通させ、
前記下部スクリーンにおける各段の挿通孔は、最上段から下段に向かうに従って、後方から前方へとオフセットした位置に形成されている挿通孔を含んでいることを特徴とするプリーツスクリーン。
【請求項１２】
複数の昇降コードによって個別に昇降可能な上部スクリーン及び下部スクリーンを備えるプリーツスクリーンであって、
前記上部スクリーンを昇降させるための第１の昇降コードは前記上部スクリーンに形成される挿通孔に挿通させ、
前記下部スクリーンを昇降させるための第２の昇降コードは前記上部スクリーンに形成される挿通孔に挿通させず、前記下部スクリーンにおける上下方向多数段にジグザグ状に折り曲げられた各段のうち最上段を含む所定段の後方を垂下させ、当該所定段より下方に設けられた挿通孔に挿通させていることを特徴とするプリーツスクリーン。
【請求項１３】
複数の昇降コードによって個別に昇降可能な上部スクリーン及び下部スクリーンを備えるプリーツスクリーンであって、
前記上部スクリーンを昇降させるための第１の昇降コードは、前記上部スクリーンに形成される挿通孔に挿通させ、
前記下部スクリーンを昇降させるための第２の昇降コードは、前記上部スクリーンに形成される挿通孔に挿通させず、前記下部スクリーンの前後方向の中央に形成される挿通孔に挿通させていることを特徴とするプリーツスクリーン。
【請求項１４】
複数の昇降コードによって個別に昇降可能な上部スクリーン及び下部スクリーンを備えるプリーツスクリーンであって、
前記上部スクリーンを昇降させるための第１の昇降コードは、前記上部スクリーンに形成される挿通孔に挿通させずに前記上部スクリーンを昇降可能とするよう構成し、
前記下部スクリーンを昇降させるための第２の昇降コードは、前記上部スクリーンに形成される挿通孔及び前記下部スクリーンに形成される挿通孔に挿通させて前記下部スクリーンを昇降可能とするよう構成したことを特徴とするプリーツスクリーン。
【請求項１５】
前記第２の昇降コードは、前記上部スクリーンに形成される挿通孔及び前記下部スクリーンに形成される挿通孔に対し、屈曲することなく真っ直ぐに鉛直方向に向かって垂下するよう挿通されていることを特徴とする、請求項１４に記載のプリーツスクリーン。
【請求項１６】
前記第２の昇降コードは、前記下部スクリーンの前後方向の中央より前方、或いは該中央より後方に形成される挿通孔に挿通させていることを特徴とする、請求項１４又は１５に記載のプリーツスクリーン。
【請求項１７】
前記第１の昇降コードは、前記上部スクリーンの前後にて対となるように垂下していることを特徴とする、請求項１４から１６のいずれか一項に記載のプリーツスクリーン。
【発明の詳細な説明】
【技術分野】
【０００１】
本発明は、上下方向に折り曲げ可能としたスクリーンをヘッドボックスから吊下支持し、そのスクリーンを昇降して採光量を調節可能とするプリーツスクリーンに関する。
【背景技術】
【０００２】
プリーツスクリーンは、上下方向に折り曲げ可能としたスクリーンをヘッドボックスから吊下支持し、そのスクリーンを操作装置により昇降して採光量を適宜に調節するものである。
【０００３】
一般的に１枚のスクリーンをヘッドボックスから吊下支持するプリーツスクリーンでは、このスクリーンをドレープ生地（遮光性生地）やレース生地（採光性生地）とし、そのスクリーンの畳み込みにより採光量を調整することができる。
【０００４】
また、プリーツスクリーンの一種類として、上下方向にジグザグ状に折り曲げ可能としたスクリーンを異なる生地の上部スクリーンと下部スクリーンとで構成し、上部スクリーンの下端縁と下部スクリーンの上端縁を中間レールに取着し、中間レールとボトムレールをそれぞれ独立した昇降コードで吊下支持したものがある。
【０００５】
このような上部スクリーンと下部スクリーンを持つプリーツスクリーンでは、上部スクリーンを採光性生地とし下部スクリーンを遮光性生地とするか、或いは逆に、上部スクリーンを遮光性生地とし下部スクリーンを採光性生地とするなど、様々な組み合わせの生地を中間レールで分離することができる。そして、上部スクリーンと下部スクリーンのいずれか一方又は双方を畳み込むことで採光量を調節することができ、採光量調節の自由度を高めている。また、中間レールを１つとすることに限らず、複数の中間レールとし３枚以上のスクリーンの組み合わせとすることもできる。
【０００６】
ところで、上部スクリーンと下部スクリーンをそれぞれ昇降させるための上側昇降コードと下側昇降コードについて、上部スクリーンに１つの挿通孔を設け、この１つの挿通孔に対し、上側昇降コード及び下側昇降コードの２本を挿通するプリーツスクリーンが開示されている（例えば、特許文献１参照）。
【０００７】
また、上部スクリーンと下部スクリーンをそれぞれ昇降させるための上側昇降コードと下側昇降コードについて、上部スクリーンに２つの挿通孔を左右方向に並行して設け、２つの挿通孔のそれぞれに対し、上側昇降コード及び下側昇降コードをそれぞれ挿通するプリーツスクリーンが開示されている（例えば、特許文献２参照）。
【先行技術文献】
【特許文献】
【０００８】
【特許文献１】特開２００２−３３２７８５号公報
【特許文献２】特開２００２−１１５４７４号公報
【発明の概要】
【発明が解決しようとする課題】
【０００９】
前述したように、特許文献１の技法では、上部スクリーンと下部スクリーンを持つプリーツスクリーンを構成する際に、上部スクリーンに１つの挿通孔を設け、この１つの挿通孔に対し、上側昇降コード及び下側昇降コードの２本を挿通するようにしている。
【００１０】
また、特許文献２の技法では、上部スクリーンと下部スクリーンを持つプリーツスクリーンを構成する際に、上部スクリーンに２つの挿通孔を左右方向に並行して設け、２つの挿通孔のそれぞれに対し、上側昇降コード及び下側昇降コードをそれぞれ挿通するようにしている。
【００１１】
しかしながら、これらの技法では、上部スクリーンにおける挿通孔の大きさや数が増大することになるため、これらの挿通孔から生じる光漏れが大きくなるという問題がある。
【００１２】
従って、上部スクリーンと下部スクリーンを持つプリーツスクリーンにおいて、スクリーンに設けられる挿通孔から生じる光漏れを抑制する技法が望まれる。また、昇降コードの配列によっては意匠性を阻害することもあり、意匠性の高いプリーツスクリーンを構成する技法が望まれる。
【００１３】
本発明は、上述の問題に鑑みて、光漏れを抑制し、特には意匠性の高いプリーツスクリーンを提供することにある。
【課題を解決するための手段】
【００１４】
本発明による第１態様のプリーツスクリーンは、複数の昇降コードによって個別に昇降可能な上部スクリーン及び下部スクリーンを備えるプリーツスクリーンであって、前記上部スクリーンと前記下部スクリーンのうち一方を昇降させるための第１の昇降コードは前記上部スクリーンに形成される挿通孔に挿通させ、前記上部スクリーンと前記下部スクリーンのうち他方を昇降させるための第２の昇降コードは前記上部スクリーンに形成される挿通孔に挿通させないよう構成されていることを特徴とする。
【００１５】
また、本発明による第１態様のプリーツスクリーンにおいて、前記第２の昇降コードは、前記下部スクリーンに形成される挿通孔に挿通させていることを特徴とする。
【００１６】
また、本発明による第１態様のプリーツスクリーンにおいて、前記挿通孔の径を規定値として１．８ｍｍとし、前記第１の昇降コード及び前記第２の昇降コードの各々を規定値として０．７ｍｍとしたことを特徴とする。
【００１７】
また、本発明による第１態様のプリーツスクリーンにおいて、前記上部スクリーンに形成される挿通孔は、前記上部スクリーンの前後方向における略中央部からオフセットした位置に形成されていることを特徴とする。
【００１８】
また、本発明による第１態様のプリーツスクリーンにおいて、前記上部スクリーンに形成される挿通孔は、前記下部スクリーンに形成される挿通孔に対し前後方向でオフセットした位置に形成されていることを特徴とする。
【００１９】
また、本発明による第１態様のプリーツスクリーンにおいて、前記上部スクリーンを所定ピッチで保持するためのピッチ保持コードを備え、前記ピッチ保持コードに設けられる環状の支持コードに前記第２の昇降コードを挿通することを特徴とする。
【００２０】
更に、本発明による第２態様のプリーツスクリーンは、複数の昇降コードによって個別に昇降可能な上部スクリーン及び下部スクリーンを備えるプリーツスクリーンであって、前記上部スクリーンを昇降させるための第１の昇降コードは前記上部スクリーンに形成される挿通孔に挿通させ、前記下部スクリーンを昇降させるための第２の昇降コードは前記上部スクリーンに形成される挿通孔に挿通させず、前記下部スクリーンの前後方向幅中央から後方にオフセットした位置に形成した挿通孔に挿通させていることを特徴とする。
【００２１】
更に、本発明による第３態様のプリーツスクリーンは、複数の昇降コードによって個別に昇降可能な上部スクリーン及び下部スクリーンを備えるプリーツスクリーンであって、前記上部スクリーンを昇降させるための第１の昇降コードは前記上部スクリーンに形成される挿通孔に挿通させ、前記下部スクリーンを前記上部スクリーンより後方にオフセットさせ、前記下部スクリーンを昇降させるための第２の昇降コードは前記上部スクリーンに形成される挿通孔に挿通させず前記下部スクリーンに形成される挿通孔に挿通させていることを特徴とする。
【００２２】
更に、本発明による第４態様のプリーツスクリーンは、複数の昇降コードによって個別に昇降可能な上部スクリーン及び下部スクリーンを備えるプリーツスクリーンであって、前記上部スクリーンを昇降させるための第１の昇降コードは前記上部スクリーンに形成される挿通孔に挿通させ、前記下部スクリーンは前記上部スクリーンより前後方向幅が大きく形成され、前記下部スクリーンを昇降させるための第２の昇降コードは前記上部スクリーンに形成される挿通孔に挿通させず前記下部スクリーンに形成される挿通孔に挿通させていることを特徴とする。
【００２３】
更に、本発明による第５態様のプリーツスクリーンは、複数の昇降コードによって個別に昇降可能な上部スクリーン及び下部スクリーンを備えるプリーツスクリーンであって、前記上部スクリーンを昇降させるための第１の昇降コードは前記上部スクリーンに形成される挿通孔に挿通させ、前記下部スクリーンを昇降させるための第２の昇降コードは前記上部スクリーンに形成される挿通孔に挿通させず、前記下部スクリーンにおける上下方向多数段にジグザグ状に折り曲げられた各段の後端部に設けられた係合片に形成された挿通孔に挿通させていることを特徴とする。
【００２４】
更に、本発明による第６態様のプリーツスクリーンは、複数の昇降コードによって個別に昇降可能な上部スクリーン及び下部スクリーンを備えるプリーツスクリーンであって、前記上部スクリーンを昇降させるための第１の昇降コードは前記上部スクリーンに形成される挿通孔に挿通させ、前記下部スクリーンを昇降させるための第２の昇降コードは前記上部スクリーンに形成される挿通孔に挿通させず、前記下部スクリーンにおける上下方向多数段にジグザグ状に折り曲げられた各段に形成される挿通孔に挿通させ、前記下部スクリーンにおける各段の挿通孔は、最上段から下段に向かうに従って、後方から前方へとオフセットした位置に形成されている挿通孔を含んでいることを特徴とする。
【００２５】
更に、本発明による第７態様のプリーツスクリーンは、複数の昇降コードによって個別に昇降可能な上部スクリーン及び下部スクリーンを備えるプリーツスクリーンであって、前記上部スクリーンを昇降させるための第１の昇降コードは前記上部スクリーンに形成される挿通孔に挿通させ、前記下部スクリーンを昇降させるための第２の昇降コードは前記上部スクリーンに形成される挿通孔に挿通させず、前記下部スクリーンにおける上下方向多数段にジグザグ状に折り曲げられた各段のうち最上段を含む所定段の後方を垂下させ、当該所定段より下方に設けられた挿通孔に挿通させていることを特徴とする。
【００２６】
更に、本発明による第８態様のプリーツスクリーンは、複数の昇降コードによって個別に昇降可能な上部スクリーン及び下部スクリーンを備えるプリーツスクリーンであって、前記上部スクリーンを昇降させるための第１の昇降コードは、前記上部スクリーンに形成される挿通孔に挿通させ、前記下部スクリーンを昇降させるための第２の昇降コードは、前記上部スクリーンに形成される挿通孔に挿通させず、前記下部スクリーンの前後方向の中央に形成される挿通孔に挿通させていることを特徴とする。
【００２７】
更に、本発明による第９態様のプリーツスクリーンは、複数の昇降コードによって個別に昇降可能な上部スクリーン及び下部スクリーンを備えるプリーツスクリーンであって、前記上部スクリーンを昇降させるための第１の昇降コードは、前記上部スクリーンに形成される挿通孔に挿通させずに前記上部スクリーンを昇降可能とするよう構成し、前記下部スクリーンを昇降させるための第２の昇降コードは、前記上部スクリーンに形成される挿通孔及び前記下部スクリーンに形成される挿通孔に挿通させて前記下部スクリーンを昇降可能とするよう構成したことを特徴とする。
【００２８】
また、本発明による第９態様のプリーツスクリーンにおいて、前記第２の昇降コードは、前記上部スクリーンに形成される挿通孔及び前記下部スクリーンに形成される挿通孔に対し、屈曲することなく真っ直ぐに鉛直方向に向かって垂下するよう挿通されていることを特徴とする。
【００２９】
また、本発明による第９態様のプリーツスクリーンにおいて、前記第２の昇降コードは、前記下部スクリーンの前後方向の中央より前方、或いは該中央より後方に形成される挿通孔に挿通させていることを特徴とする。
【００３０】
また、本発明による第９態様のプリーツスクリーンにおいて、前記第１の昇降コードは、前記上部スクリーンの前後にて対となるように垂下していることを特徴とする。
【発明の効果】
【００３１】
本発明によれば、光漏れを抑制し、特には意匠性の高いプリーツスクリーンを構成することができる。
【図面の簡単な説明】
【００３２】
【図１】本発明による第１実施形態のプリーツスクリーンの概略構成を示す正面図である。
【図２】（ａ），（ｂ）は、それぞれ本発明による第１実施形態のプリーツスクリーンの概略構成を部分的に示す正面図及び側面図である。
【図３】（ａ），（ｂ）は、それぞれ本発明による第１実施形態のプリーツスクリーンにおける一実施例のスクリーン周辺の概略的な拡大側面図と、更なる変形例のスクリーン周辺の概略的な拡大側面図である。
【図４】（ａ），（ｂ）は、それぞれ従来技術に基づく比較例のプリーツスクリーンの概略構成を、本発明による第１実施形態と対比可能に部分的に示す正面図及び側面図である。
【図５】（ａ），（ｂ）は、それぞれ本発明による第１実施形態のプリーツスクリーンにおける一実施例の上部スクリーン周辺の拡大側面図（ピッチ保持コードの支持コードと上部スクリーンの生地とが接触状態）と、従来技術に基づく比較例のプリーツスクリーンにおける上部スクリーン周辺（ピッチ保持コードの支持コードと上部スクリーンの生地とが接触状態）の拡大側面図である。
【図６】（ａ），（ｂ）は、それぞれ本発明による第１実施形態のプリーツスクリーンにおける一実施例の上部スクリーン周辺（ピッチ保持コードの支持コードと上部スクリーンの生地とが非接触状態）の拡大側面図と、従来技術に基づく比較例のプリーツスクリーンにおける上部スクリーン周辺（ピッチ保持コードの支持コードと上部スクリーンの生地とが非接触状態）の拡大側面図である。
【図７】（ａ），（ｂ），（ｃ）は、それぞれ本発明による第１実施形態のプリーツスクリーンにおける変形例の上部スクリーン周辺（ピッチ保持コードの支持コードと上部スクリーンの生地とが非接触状態）の拡大側面図である。
【図８】（ａ），（ｂ）は、それぞれ本発明による第２実施形態のプリーツスクリーンにおける一実施例のスクリーン周辺の拡大側面図と、その変形例のスクリーン周辺の拡大側面図である。
【図９】（ａ），（ｂ）は、それぞれ本発明による第３実施形態のプリーツスクリーンにおける一実施例のスクリーン周辺の拡大側面図と、その変形例のスクリーン周辺の拡大側面図である。
【図１０】（ａ），（ｂ）は、それぞれ本発明による第４実施形態のプリーツスクリーンにおける一実施例のスクリーン周辺の拡大側面図と、その変形例のスクリーン周辺の拡大側面図である。
【図１１】（ａ），（ｂ）は、それぞれ本発明による第４実施形態のプリーツスクリーンにおける一実施例のスクリーン周辺の概略的な拡大側面図と、更なる変形例のスクリーン周辺の概略的な拡大側面図である。
【図１２】（ａ），（ｂ）は、それぞれ本発明による更に別の実施形態における例１及び例２のプリーツスクリーンにおけるスクリーン周辺の概略的な拡大側面図である。
【図１３】（ａ），（ｂ）は、それぞれ本発明による更に別の実施形態における例３及び例４のプリーツスクリーンにおけるスクリーン周辺の概略的な拡大側面図である。
【図１４】（ａ），（ｂ）は、それぞれ本発明による更に別の実施形態における例５及び例６のプリーツスクリーンにおけるスクリーン周辺の概略的な拡大側面図である。
【図１５】（ａ）乃至（ｅ）は、それぞれ本発明による各実施形態のプリーツスクリーンについて変形例を含み包括的に説明するために代表例として示すプリーツスクリーンにおけるスクリーン周辺の概略的な拡大側面図である。
【図１６】（ａ）乃至（ｅ）は、それぞれ本発明による各実施形態のプリーツスクリーンについて変形例を含み包括的に説明するために代表例として示すプリーツスクリーンにおけるスクリーン周辺の概略的な拡大側面図である。
【図１７】（ａ）乃至（ｅ）は、それぞれ本発明による各実施形態のプリーツスクリーンについて変形例を含み包括的に説明するために代表例として示すプリーツスクリーンにおけるスクリーン周辺の概略的な拡大側面図である。
【発明を実施するための形態】
【００３３】
以下、図面を参照して、本発明による各実施形態のプリーツスクリーンを説明する。尚、本願明細書中、図１に示すプリーツスクリーンの正面図に対して、図示上方及び図示下方をスクリーンの吊り下げ方向に準じてそれぞれ上方向（又は上側）及び下方向（又は下側）と定義し、図示左方向をプリーツスクリーンの左側、及び、図示右方向をプリーツスクリーンの右側と定義して説明する。また、図１の正面図を視認する側を前側（室内側）とし、その反対側を後側（室外側）とする。
【００３４】
〔第１実施形態〕
まず、図１及び図２を参照して、上部スクリーン６Ｕと下部スクリーン６Ｌを持つ第１実施形態のプリーツスクリーンを説明する。図１は、本発明による第１実施形態のプリーツスクリーンの概略構成を示す正面図である。図２（ａ），（ｂ）は、それぞれ本発明による第１実施形態のプリーツスクリーンの概略構成を部分的に示す正面図及び側面図である。
【００３５】
第１実施形態のプリーツスクリーンは、ヘッドボックス１からジグザグ状に折り曲げ可能とした上部スクリーン６Ｕが吊下支持され、そのスクリーン６Ｕの下端は中間レール５の上面に取着される。
【００３６】
中間レール５の下面には、同じくジグザグ状に折り曲げ可能とした下部スクリーン６Ｌの上端が取着され、その下部スクリーン６Ｌの下端は、ボトムレール７に取着される。
【００３７】
ヘッドボックス１の両端部にはそれぞれ第１及び第２の操作コード９Ｌ，９Ｕが吊下支持される。第１の操作コード９Ｌは、ボトムレール７を昇降するための複数本（本例では２本）の下側昇降コード３Ｌをヘッドボックス１のコード導出口１ａから引出し、或いはヘッドボックス１に引き込ませる操作を行うものである。第２の操作コード９Ｕは、中間レール５を昇降するための複数本（本例では２本）の上側昇降コード３Ｕをヘッドボックス１のコード導出口１ｂから引出し、或いはヘッドボックス１に引き込ませる操作を行うものである。
【００３８】
各下側昇降コード３Ｌの一端がコードイコライザ８Ｌを介して第１の操作コード９Ｌに接続され、各下側昇降コード３Ｌの他端はヘッドボックス１に設けられたストッパー装置（図示せず）を介してヘッドボックス１内を案内され、ヘッドボックス１内で適所に配設される滑車１０ａを支持する支持部材１０（図２（ｂ）参照）を介して下方へと転向される。そして、下方へと転向された各下側昇降コード３Ｌの他端は、ヘッドボックス１から、上部スクリーン６Ｕに設けられる挿通孔４Ｕに挿通されることなく中間レール５の背面を経るよう迂回させて当該上部スクリーン６Ｕの背面を垂下して、下部スクリーン６Ｌに設けられる挿通孔４Ｌに挿通されることで下部スクリーン６Ｌを貫通して、ボトムレール７に接続される。
【００３９】
従って、第１の操作コード９Ｌを操作して下側昇降コード３Ｌをヘッドボックス１から引き出せば、ボトムレール７が引き上げられ、第１の操作コード９Ｌを手放して当該ストッパー装置のロックを作動させれば下側昇降コード３Ｌのヘッドボックス１内への引き込みを阻止して、ボトムレール７を所望位置に吊下支持させることができる。
【００４０】
また、第１の操作コード９Ｌを操作して、僅かに下側昇降コード３Ｌをヘッドボックス１から引き出し当該ストッパー装置のロックを解除させた後、第１の操作コード９Ｌを手放すことで、下側昇降コード３Ｌをヘッドボックス１内に引き込ませ、ボトムレール７の重量によりボトムレール７を下降させることができる。
【００４１】
各上側昇降コード３Ｕの一端がコードイコライザ８Ｕを介して第２の操作コード９Ｕに接続され、各上側昇降コード３Ｕの他端はヘッドボックス１に設けられたストッパー装置（図示せず）を介してヘッドボックス１内を案内され、ヘッドボックス１内で適所に配設される滑車を支持する支持部材を介して下方へと転向される。そして、下方へと転向された各上側昇降コード３Ｕの他端は、上部スクリーン６Ｕに設けられる挿通孔４Ｕに挿通されることで上部スクリーン６Ｕを貫通して、中間レール５に接続される。
【００４２】
従って、第２の操作コード９Ｕを操作して上側昇降コード３Ｕをヘッドボックス１から引き出せば、中間レール５が引き上げられ、第２の操作コード９Ｕを手放して当該ストッパー装置のロックを作動させれば上側昇降コード３Ｕのヘッドボックス１内への引き込みを阻止して、中間レール５を所望位置に吊下支持させることができる。
【００４３】
また、第２の操作コード９Ｕを操作して、僅かに上側昇降コード３Ｕをヘッドボックス１から引き出し当該ストッパー装置のロックを解除させた後、第２の操作コード９Ｕを手放すことで、上側昇降コード３Ｕをヘッドボックス１内に引き込ませ、中間レール５の重量により中間レール５を下降させることができる。
【００４４】
このように構成された第１実施形態のプリーツスクリーンでは、中間レール５をヘッドボックス１の直下まで引き上げて、ヘッドボックス１と中間レール５との間に上部スクリーン６Ｕを折り畳んだ状態で、ボトムレール７を下降させれば、ヘッドボックス１から下部スクリーン６Ｌが吊下支持された状態となる。
【００４５】
また、ボトムレール７を下限まで下降させた状態で、中間レール５をボトムレール７上まで下降させると、中間レール５とボトムレール７との間で下部スクリーン６Ｌが折り畳まれ、ヘッドボックス１と中間レール５との間で上部スクリーン６Ｕが吊下支持された状態となる。従って、例えば上部スクリーン６Ｕを採光性生地とし、下部スクリーン６Ｌを遮光性生地とすれば、採光量調節の自由度を高めることができる。
【００４６】
そして、ボトムレール７を下限まで下降させ、中間レール５をヘッドボックス１とボトムレール７との中間に位置させれば、採光性生地とした上部スクリーン６Ｕを透過した柔らかな光を採光することができる。
【００４７】
また、ボトムレール７を上限まで引き上げて開放する場合には、中間レール５を引き上げることなく、第１の操作コード９Ｌを操作してボトムレール７を引き上げ、ヘッドボックス１とボトムレール７との間に上部スクリーン６Ｕと下部スクリーン６Ｌとを折り畳んだ状態とすることができる。
【００４８】
尚、図２（ｂ）に示すように、上側昇降コード３Ｕの後方、即ち室外側において、ヘッドボックス１からピッチ保持コード１１が垂下され中間レール５に取着されるとともに、中間レール５からピッチ保持コード１２が垂下されボトムレール７に取着される。
【００４９】
これらのピッチ保持コード１１，１２の各々にそれぞれ等間隔に多数設けられた環状の支持コード１１ａ，１２ａには、それぞれ上側昇降コード３Ｕ及び下側昇降コード３Ｌが挿通されている。そして、中間レール５を下降させて上部スクリーン６Ｕを引き伸ばすとき、上部スクリーン６Ｕが支持コード１１ａに支持されて、上部スクリーン６Ｕの折り目がほぼ等間隔に保持される。同様に、ボトムレール７を下降させて下部スクリーン６Ｌを引き伸ばすとき、下部スクリーン６Ｌが支持コード１２ａに支持されて、下部スクリーン６Ｌの折り目がほぼ等間隔に保持される。
【００５０】
ところで、図１に示す第１実施形態のプリーツスクリーンでは、図２（ｂ）に示すように、下側昇降コード３Ｌが、上部スクリーン６Ｕに設けられる挿通孔４Ｕに挿通されることなく、当該上部スクリーン６Ｕの背面を垂下して、下部スクリーン６Ｌに設けられる挿通孔４Ｌに挿通されることで下部スクリーン６Ｌを貫通して、ボトムレール７に接続されている。
【００５１】
即ち、上部スクリーン６Ｕには、図２（ａ），（ｂ）に示すように、中間レール５に端部が接続される上側昇降コード３Ｕを挿通するための挿通孔４Ｕのみが設けられている。これにより、上部スクリーン６Ｕでは、下側昇降コード３Ｌを挿通するための挿通孔の配設を不要として光漏れを抑制し、更に、図２（ａ）に示す正面視で理解されるように、上側昇降コード３Ｕと下側昇降コード３Ｌが１本の直線状になるよう配設して美観を高めている。
【００５２】
尚、本実施形態の例では、下側昇降コード３Ｌについて、図３（ａ）に示すように、上部スクリーン６Ｕに設けられる挿通孔４Ｕに挿通されることなく当該上部スクリーン６Ｕの背面を垂下させる構成としているが、図３（ｂ）に示すように、上部スクリーン６Ｕに設けられる挿通孔４Ｕに挿通されることなく当該上部スクリーン６Ｕの前面を垂下させる構成とし、正面視で、上側昇降コード３Ｕと下側昇降コード３Ｌが１本の直線状になるよう配設して美観を高めることができる。
【００５３】
更に、図１に示す第１実施形態のプリーツスクリーンでは、図２（ａ）に示すように、上部スクリーン６Ｕ及び下部スクリーン６Ｌの各々に、それぞれの上側昇降コード３Ｕ及び下側昇降コード３Ｌを挿通するために設けられる挿通孔４Ｕ，４Ｌの大きさを、上側昇降コード３Ｕ及び下側昇降コード３Ｌの各々一本分以外に他のコード等が入るスペースが無くなるほど極小サイズとしている。これによってその挿通孔４Ｕ，４Ｌから生じる光漏れを低減させるよう構成している。
【００５４】
更に、第１実施形態のプリーツスクリーンでは、上側昇降コード３Ｕ及び下側昇降コード３Ｌの各々の断面積と挿通孔４Ｕ，４Ｌの各面積の双方を従来技法よりも小さくしている。これによって、昇降時の上部スクリーン６Ｕ及び下部スクリーン６Ｌの移動が好ましく上下方向へと規制されて昇降時の上部スクリーン６Ｕ及び下部スクリーン６Ｌの移動ずれ幅（例えば左右方向のずれ）が小さくなり、プリーツスクリーン全体として見栄えの良い状態を維持できるようにしている。
【００５５】
より具体的に、図２、図４乃至図６を参照しながら、比較例と対比して、第１実施形態のプリーツスクリーンのスクリーン周辺の構成を説明する。第１実施形態のプリーツスクリーンのスクリーン周辺の構成は、上述した図２に示す通りであり、一方、図４（ａ），（ｂ）には、本発明による第１実施形態と対比するための従来技術に基づく比較例を示している。そして、図５及び図６は、それぞれ本発明による第１実施形態の構成と、その比較例の構成とを対比する上部スクリーン周辺の拡大側面図を示している。
【００５６】
まず、図２（ａ）を参照するに、本発明による第１実施形態のプリーツスクリーンでは、折り曲げ可能な上部スクリーン６Ｕ（下部スクリーン６Ｌも同様）が引き伸ばされた状態では上部スクリーン６Ｕ（下部スクリーン６Ｌも同様）が水平から概ね４５°で傾斜し、挿通孔４Ｕの大きさを孔径Ｄの丸孔で構成した上部スクリーン６Ｕを生地面視すると（図示破線丸内）、同じく、挿通孔４Ｌの大きさを孔径Ｄの丸孔で構成した下部スクリーン６Ｌを生地面視すると（図示破線丸内）、丸状断面を有するコード径（断面径）ｄの昇降コード３は、短径ｄ１（＝コード径ｄ）と長径ｄ２（≒ｄ×√２）の楕円断面状になる。そして、上側昇降コード３Ｕと挿通孔４Ｕとの間の隙間、或いは下側昇降コード３Ｌと挿通孔４Ｌとの間の隙間が光漏れの要因となるが、本発明による第１実施形態のプリーツスクリーンでは、その隙間が従来技術に比べて小さいものとなっている。これによってその挿通孔４Ｕ，４Ｌから生じる光漏れを低減させるよう構成している。また、本発明による第１実施形態のプリーツスクリーンでは、上部スクリーン６Ｕ及び下部スクリーン６Ｌの前後方向幅の略中央部に設けられているそれぞれの挿通孔４Ｕ，４Ｌを経て、図２（ｂ）に示すように、上部スクリーン６Ｕに対しては上側昇降コード３Ｕのみを貫通させ、下部スクリーン６Ｌに対しては下側昇降コード３Ｌのみを貫通させる構成となっている。本例では、中間レール５の前後方向幅（図示する幅２×ａ）のほぼ中央で上側昇降コード３Ｕ及び下側昇降コード３Ｌが垂下する構成となっている。
【００５７】
一方、図４（ａ）に示すように、従来技術に基づく比較例のプリーツスクリーンでは、同じく折り曲げ可能な上部スクリーン６Ｕ（下部スクリーン６Ｌも同様）が引き伸ばされた状態では上部スクリーン６Ｕ（下部スクリーン６Ｌも同様）が水平から概ね４５°で傾斜し、生地面視として拡大視するように、コード径（断面径）ｄ’の上側昇降コード３Ｕ及び下側昇降コード３Ｌを挿通するための挿通孔４Ｕの大きさを孔径Ｄ’’の丸孔で構成し、コード径（断面径）ｄ’の下側昇降コード３Ｌを挿通する挿通孔４Ｌの大きさについては孔径Ｄ’の丸孔で構成している。ここで、挿通孔４Ｕ，４Ｌをそれぞれの孔径Ｄ’’，Ｄ’で構成した上部スクリーン６Ｕ及び下部スクリーン６Ｌをそれぞれ生地面視すると（図示破線丸内）、丸状断面を有するコード径（断面径）ｄ’の昇降コード３は、短径ｄ１’（＝コード径ｄ’）と長径ｄ２’（≒ｄ’×√２）の楕円断面状になる。そして、昇降コード３と挿通孔４との間の隙間が光漏れの要因となるが、この従来技法に基づく比較例では、図２に示す本発明による第１実施形態のプリーツスクリーンと比較して、その隙間が大きいものになっていることが分かる。この従来技法に基づく比較例では、上部スクリーン６Ｕの前後方向幅の略中央部に設けられている各挿通孔４Ｕを経て、図４（ｂ）に示すように、上部スクリーン６Ｕに対しては上側昇降コード３Ｕ及び下側昇降コード３Ｌの双方を貫通させ、下部スクリーン６Ｌに対しては下側昇降コード３Ｌのみを貫通させる構成となっている。本例では、中間レール５の前後方向幅（図示する幅２×ａ）のほぼ中央で上側昇降コード３Ｕ及び下側昇降コード３Ｌが垂下する構成となっている。このため、中間レール５の前後方向幅（図示する幅２×ａ）のほぼ中央部には、下側昇降コード３Ｌを貫通させる貫通路５ａが形成されている。
【００５８】
ところで、ピッチ保持コード１１，１２を利用するプリーツスクリーンでは、ピッチ保持コード１１の支持コード１１ａと上部スクリーン６Ｕの生地とが接触する接触状態と、接触しない非接触状態の二状態があり、同じくピッチ保持コード１２の支持コード１２ａと上部スクリーン６Ｌの生地とが接触する接触状態と、接触しない非接触状態の二状態がある。以下では、代表して上部スクリーン６Ｕについて説明する。図５では、ピッチ保持コード１１の支持コード１１ａが上部スクリーン６Ｕの室外側折り目の位置（図示“接触点”）で接触する接触状態にあるときの本発明による第１実施形態の構成と、その比較例の構成とを対比する上部スクリーン６Ｕ周辺の拡大側面図を示している。また、図６では、ピッチ保持コード１１の支持コード１１ａが上部スクリーン６Ｕの室外側折り目の位置で接触していない非接触状態にあるときの本発明による第１実施形態の構成と、その比較例の構成とを対比する上部スクリーン６Ｕ周辺の拡大側面図を示している。
【００５９】
このとき、本発明に係る第１実施形態の構成では、上部スクリーン６Ｕに対して、図５（ａ）及び図６（ａ）に示すように、コード径（断面径）ｄの上側昇降コード３Ｕのみを孔径Ｄの挿通孔４Ｕに挿通する構成であり、ピッチ保持コード１１の支持コード１１ａと上部スクリーン６Ｕの生地（生地厚ｓｄ）とが接触する状態であるか否かに関わらず、挿通孔４Ｕと上側昇降コード３Ｕとの間の前後方向の隙間を、コード断面として短径ｐｄ１×長径ｐｄ２を持つピッチ保持コード１１に等間隔に多数設けられる環状の支持コード１１ａ（丸状断面径ｋｄ）の先端（屈曲部）の屈曲径ｂｄより小さいものとしている。下部スクリーン６Ｌに対しても同様に、ピッチ保持コード１２の支持コード１２ａと下部スクリーン６Ｌの生地（生地厚ｓｄ）とが接触する状態であるか否かに関わらず、挿通孔４Ｌと上側昇降コード３Ｌとの間の前後方向の隙間を、コード断面として短径ｐｄ１×長径ｐｄ２を持つピッチ保持コード１２に等間隔に多数設けられる環状の支持コード１２ａ（丸状断面径ｋｄ）の先端（屈曲部）の屈曲径ｂｄより小さいものとしている。
【００６０】
更に、本発明に係る挿通孔４Ｕの孔径Ｄは、ピッチ保持コード１１のコード断面としての長径ｐｄ２より小さいものとしている。同様に、本発明に係る挿通孔４Ｌの孔径Ｄは、ピッチ保持コード１２のコード断面としての長径ｐｄ２より小さいものとしている。また、挿通孔４Ｕと上側昇降コード３Ｕとの間の前後方向の隙間を、折り曲げ可能とされるピッチ保持コード１１のコード断面としての短径ｐｄ１の２倍よりも小さいものとしている。同様に、挿通孔４Ｌと下側昇降コード３Ｌとの間の前後方向の隙間を、折り曲げ可能とされるピッチ保持コード１２のコード断面としての短径ｐｄ１の２倍よりも小さいものとしている。また、本発明に係る上側昇降コード３Ｕのコード径ｄは、ピッチ保持コード１１のコード断面としての短径ｐｄ１と長径ｐｄ２のいずれに対しても小径化させる。同じく、本発明に係る下側昇降コード３Ｌのコード径ｄは、ピッチ保持コード１２のコード断面としての短径ｐｄ１と長径ｐｄ２のいずれに対しても小径化させる。その上で、光漏れの抑制効果に関してスクリーン６が水平から概ね４５°で傾斜した状態で対比すればよく、本発明に係る挿通孔４Ｕ，４Ｌの孔径Ｄは、上部及び下部スクリーン６Ｕ，６Ｌが図５（ａ）及び図６（ａ）に示すように水平から４５°傾斜時に垂直方向又は水平方向に投影した径（４５°投影径Ｄａ）をそれぞれの上側及び下側昇降コード３Ｕ，３Ｌのコード径ｄの２倍以下としている。
【００６１】
本発明に係る第１実施形態の構成では、コード径（断面径）ｄの上側昇降コード３Ｌのみを孔径Ｄの挿通孔４Ｌに挿通する下部スクリーン６Ｌについても同様である。
【００６２】
即ち、このような構成により、上側昇降コード３Ｕを挿通する挿通孔４Ｕから生じる光漏れ、及び下側昇降コード３Ｌを挿通する挿通孔４Ｌから生じる光漏れの抑制を図っている。
【００６３】
（実施例）
代表して図５（ａ）及び図６（ａ）に示す上部スクリーン６Ｕの例におけるより具体的な好適値として、上側昇降コード３Ｕのコード径ｄをφ０．７ｍｍとし、挿通孔４Ｕの孔径Ｄをφ１．８ｍｍとしている。ピッチ保持コード１１のコード断面としての短径ｐｄ１×長径ｐｄ２はそれぞれ従来から用いられる０．８×２．０ｍｍであり、丸状断面を有する環状の支持コード１１ａのコード径（断面径）ｋｄはφ０．２ｍｍであり、支持コード１１ａの先端（屈曲部）の屈曲径ｂｄは、上記接触状態にあるときで略１．５ｍｍ、非接触状態にあるときで略３ｍｍである。尚、スクリーン６の生地厚ｓｄは、従来から用いられる略０．２ｍｍである。
【００６４】
尚、下部スクリーン６Ｌについても同様に、下側昇降コード３Ｌのコード径ｄをφ０．７ｍｍとし、挿通孔４Ｌの孔径Ｄをφ１．８ｍｍとすることができ、ピッチ保持コード１１のコード断面としての短径ｐｄ１×長径ｐｄ２はそれぞれ従来から用いられる０．８×２．０ｍｍであり、丸状断面を有する環状の支持コード１１ａのコード径（断面径）ｋｄはφ０．２ｍｍであり、支持コード１１ａの先端（屈曲部）の屈曲径ｂｄは、上記接触状態にあるときで略１．５ｍｍ、非接触状態にあるときで略３ｍｍである。尚、スクリーン６の生地厚ｓｄは、従来から用いられる略０．２ｍｍである。
【００６５】
本実施例によれば、挿通孔４Ｕの孔径Ｄ（φ１．８ｍｍ）に、コード径ｄとしてφ０．７ｍｍの上側昇降コード３Ｕが挿通された状態では、図７（ａ）に示す生地面視に示すように、挿通孔４Ｕと上側昇降コード３Ｕとの間の隙間は、前後方向で略０．８１ｍｍ（＝Ｄ（１．８ｍｍ）−ｄ２（０．７×√２））〜１．１０ｍｍ（＝Ｄ（１．８ｍｍ）−ｄ１（０．７））程度となり、その後方で延在する環状の支持コード１１ａの先端（屈曲部）の屈曲径ｂｄとして上記接触状態にあるときの略１．５ｍｍ、非接触状態にあるときの略３ｍｍのいずれに対しても小さくなる。このため、挿通孔４Ｕから生じる光漏れの抑制を図りつつ、支持コード１１ａが如何なる状況でも挿通孔４Ｕへ侵入不能になり（引っ掛かることがなくなり）、即ち、上部スクリーン６Ｕを畳み込み、或いは引き延ばすことで昇降する際の動作を阻害することが一切無くなる。
【００６６】
また、挿通孔４Ｕの孔径Ｄ（φ１．８ｍｍ）は、ピッチ保持コード１１のコード断面としての長径ｐｄ２（２．０ｍｍ）よりも小さいものとなっている。そして、挿通孔４Ｕの孔径Ｄ（φ１．８ｍｍ）に、コード径ｄとしてφ０．７ｍｍの上側昇降コード３Ｕが挿通された状態では、挿通孔４Ｕと上側昇降コード３Ｕとの間の隙間は、上述したように、前後方向で略０．８１ｍｍ〜１．１０ｍｍ程度となり、折り曲げ可能とされるピッチ保持コード１１のコード断面としての短径ｐｄ１（０．８ｍｍ）の２倍よりも小さいものとなっている。このため、挿通孔４Ｕから生じる光漏れの抑制を図りつつ、折り曲げ可能とされるピッチ保持コード１１が如何なる状況でも挿通孔４Ｕへ侵入不能になり（引っ掛かることがなくなり）、即ち、上部スクリーン６Ｕを畳み込み、或いは引き延ばすことで昇降する際の動作を阻害することが一切無くなる。
【００６７】
このように、挿通孔４Ｕは、挿通対象の上側昇降コード３Ｕ以外のコード（本例ではピッチ保持コード１１やその支持コード１１ａ）が侵入不能な大きさで形成されている。同様に、挿通孔４Ｌは、挿通対象の下側昇降コード３Ｌ以外のコード（本例ではピッチ保持コード１２やその支持コード１２ａ）が侵入不能な大きさで形成されている。
【００６８】
また、挿通孔４Ｕの孔径Ｄ（φ１．８ｍｍ）は、上側昇降コード３Ｕのコード径ｄより大きいが、挿通孔４Ｕの当該４５°投影径Ｄａ（１．８／√２≒１．２７ｍｍ）が上側昇降コード３Ｕのコード径ｄ（φ０．７ｍｍ）の２倍以下となるようにしているため、上側昇降コード３Ｕのコード径ｄを小さくするほど小さくなる。換言すれば、本発明に係る上側昇降コード３Ｕのコード径ｄは、ピッチ保持コード１１のコード断面としての短径ｐｄ１と長径ｐｄ２のいずれに対しても小径化させることができる。このように、挿通孔４Ｕから生じる光漏れの抑制を図りつつ、上側昇降コード３Ｕの挿通孔４Ｕに対する挿通性を維持しているため、上側昇降コード３Ｕの断面積と挿通孔４Ｕの面積の双方を従来技法よりも小さくしている。これによって、昇降時の上部スクリーン６Ｕの移動が好ましく上下方向へと規制されて昇降時の上部スクリーン６Ｕの移動ずれ幅（例えば左右方向のずれ）が小さくなり、プリーツスクリーン全体として見栄えの良い状態を維持できる。これは、下側昇降コード３Ｌ及び挿通孔４Ｌについても同様である。
【００６９】
（比較例）
一方、図５（ｂ）及び図６（ｂ）に示すように、比較例に係る構成では、上側昇降コード３Ｕ及び下側昇降コード３Ｌの各コード径ｄ’（図４（ａ）に示す生地面視の短径ｄ１’に等しい）をφ１．２ｍｍとし、挿通孔４Ｕの孔径Ｄ’’をφ５．０ｍｍ、挿通孔４Ｌの孔径Ｄ’をφ３．５ｍｍとしている。ピッチ保持コード１１のコード断面としての短径ｐｄ１×長径ｐｄ２はそれぞれ０．８×２．０ｍｍであり、丸状断面を有する環状の支持コード１１ａのコード径（断面径）ｋｄはφ０．２ｍｍであり、支持コード１１ａの先端（屈曲部）の屈曲径ｂｄは、上記接触状態にあるときで略１．５ｍｍ、非接触状態にあるときで略３ｍｍである。尚、スクリーン６の生地厚ｓｄは、略０．２ｍｍである。尚、比較例に係る構成において、支持コード１１ａには下側昇降コード３Ｌのみが係合挿通される。
【００７０】
従って、比較例に係る挿通孔４Ｕの孔径Ｄ’’（φ５．０ｍｍ）に、コード径ｄとしてφ１．２ｍｍの上側昇降コード３Ｕ及び下側昇降コード３Ｌが挿通された状態では、図４（ａ）に示す生地面視に示すように、挿通孔４Ｕと上側及び下側昇降コード３Ｕ，３Ｌとの間の隙間は、前後方向で略１．６１ｍｍ（＝Ｄ’（５．０ｍｍ）−２×ｄ２’（２×１．２×√２））〜２．６０ｍｍ（＝Ｄ’（５．０ｍｍ）−２×ｄ１’（２×１．２））程度となり、その後方で延在する環状の支持コード１１ａの先端（屈曲部）の屈曲径ｂｄとして上記接触状態にあるときの略１．５ｍｍより大きいものとなっている。
また、比較例に係る挿通孔４Ｌの孔径Ｄ’（φ３．５ｍｍ）に、コード径ｄとしてφ１．２ｍｍの下側昇降コード３Ｌが挿通された状態では、図４（ａ）に示す生地面視に示すように、挿通孔４Ｌと下側昇降コード３Ｌとの間の隙間は、前後方向で略１．８０ｍｍ（＝Ｄ’（３．５ｍｍ）−ｄ２’（１．２×√２））〜２．３０ｍｍ（＝Ｄ’（３．５ｍｍ）−ｄ１’（１．２））程度となり、その後方で延在する環状の支持コード１２ａの先端（屈曲部）の屈曲径ｂｄとして上記接触状態にあるときの略１．５ｍｍより大きいものとなっている。
このため、挿通孔４Ｕ，４Ｌから生じる光漏れが大きくなり、支持コード１１ａが挿通孔４Ｕへ、支持コード１２ａが挿通孔４Ｌへ侵入可能になり（引っ掛かることもあり）、即ち、上部スクリーン６Ｕや下部スクリーン６Ｌを畳み込み、或いは引き延ばすことで昇降する際の動作を阻害することもある。
【００７１】
また、比較例に係る挿通孔４Ｕの孔径Ｄ’’（φ５．０ｍｍ）及び挿通孔４Ｌの孔径Ｄ’（φ３．５ｍｍ）は、折り曲げ可能とされる各ピッチ保持コード１１，１２のコード断面として短径ｐｄ１×長径ｐｄ２（φ１．０ｍｍ）の２倍よりも大きいものとなっている。そして、挿通孔４Ｕと上側及び下側昇降コード３Ｕ，３Ｌとの間の隙間は、上述したように前後方向で略１．６１ｍｍ〜２．６０ｍｍ程度で、挿通孔４Ｌと下側昇降コード３Ｌとの間の隙間は、上述したように前後方向で略１．８０ｍｍ〜２．３０ｍｍ程度となり、折り曲げ可能とされるピッチ保持コード１１，１２のコード断面としての短径ｐｄ１（０．８ｍｍ）の２倍よりも大きいものとなっている。このため、挿通孔４Ｕ，４Ｌから生じる光漏れが大きくなり、折り曲げ可能とされる各ピッチ保持コード１１，１２がそれぞれ挿通孔４Ｕ，４Ｌへ侵入可能になり（引っ掛かることもあり）、即ち、上部スクリーン６Ｕや下部スクリーン６Ｌを畳み込み、或いは引き延ばすことで昇降する際の動作を阻害することもある。
【００７２】
更に、比較例に係る挿通孔４Ｕの孔径Ｄ’’（φ５．０ｍｍ）及び挿通孔４Ｌの孔径Ｄ’（φ３．５ｍｍ）は、図５（ｂ）及び図６（ｂ）に示すように、挿通孔４Ｕの当該４５°投影径Ｄａ’’（５．０／√２≒３．５４ｍｍ）が上側昇降コード３Ｕのコード径ｄ’（φ１．２ｍｍ）の２倍より大きく、同様に挿通孔４Ｌの当該４５°投影径Ｄａ’（３．５／√２≒２．４７ｍｍ）が下側昇降コード３Ｌのコード径ｄ’（φ１．２ｍｍ）の２倍より大きくなっているため、挿通孔４Ｕ，４Ｌから生じる光漏れが大きくなり、上側昇降コード３Ｕ及び下側昇降コード３Ｌの断面積と、それぞれ対応する各挿通孔４Ｕ，４Ｌの面積の双方が本発明に係る実施例よりも大きく、昇降時の上部スクリーン６Ｕや下部スクリーン６Ｌの移動ずれ幅（例えば左右方向のずれ）が相対的に大きくなっている。
【００７３】
以上のように、図１及び図２に示す第１実施形態のプリーツスクリーンでは、上部スクリーン６Ｕ及び下部スクリーン６Ｌにそれぞれ上側昇降コード３Ｕ及び下側昇降コード３Ｌのみを挿通するために設けられる挿通孔４Ｕ，４Ｌの大きさを、上側昇降コード３Ｕ及び下側昇降コード３Ｌの各々一本分以外に他のコード等が入るスペースが無くなるほど極小サイズとしているため、昇降性能を阻害することなく、むしろ向上させて、その挿通孔４Ｕ，４Ｌから生じる光漏れを低減させることができる。
【００７４】
更に、第１実施形態のプリーツスクリーンでは、上側昇降コード３Ｕ及び下側昇降コード３Ｌの断面積と、それぞれ対応する各挿通孔４Ｕ，４Ｌの面積の双方を従来技法よりも小さくしているため、昇降時の上部スクリーン６Ｕや下部スクリーン６Ｌの移動が好ましく上下方向へと規制されて昇降時の上部スクリーン６Ｕや下部スクリーン６Ｌの移動ずれ幅（例えば左右方向のずれ）が小さくなり、プリーツスクリーン全体として見栄えの良い状態を維持できるようになる（動的意匠性の向上）。
【００７５】
そして、上部スクリーン６Ｕでは、下側昇降コード３Ｌを挿通するための挿通孔の配設を不要として光漏れを抑制するだけでなく、図２（ａ）に示す正面視で理解されるように、上側昇降コード３Ｕと下側昇降コード３Ｌが１本の直線状になるよう配設することで、美観を高めることができる（静的意匠性の向上）。
【００７６】
尚、図５（ａ）及び図６（ａ）に示す上部スクリーン６Ｕの例では、ピッチ保持コード１１における環状の支持コード１１ａには上側昇降コード３Ｕのみを係合挿通させる構成としているが、図７（ａ）に示す変形例１のように、上部スクリーン６Ｕの背面側で溶着等により係合片６１を形成し、この係合片６１に設けた挿通孔６２に対し下側昇降コード３Ｌを挿通させ、ピッチ保持コード１１を利用しないものとすることができる。これにより、ピッチ保持コード１１や支持コード１１ａが挿通孔４Ｕへと侵入するのを完全に無くすことができる。
【００７７】
また、図７（ｂ）に示す変形例２のように、係合片６１に設けた挿通孔６２に対し下側昇降コード３Ｌを挿通させ、ピッチ保持コード１１における環状の支持コード１１ａには上側昇降コード３Ｕ及び下側昇降コード３Ｌの双方を係合挿通させる構成とすることもできる。これにより、支持コード１１ａの屈曲径ｂｄが不要に短径化するのを防ぐことができ、支持コード１１ａが挿通孔４Ｕへと侵入するのをより一層抑制させることができる。
【００７８】
また、図７（ｃ）に示す変形例３のように、係合片６１に設けた挿通孔６２に対し下側昇降コード３Ｌを挿通させ、ピッチ保持コード１１における環状の支持コード１１ａには下側昇降コード３Ｌのみを係合挿通させる構成とすることもできる。これにより、支持コード１１ａの短小化が可能であり、支持コード１１ａが挿通孔４Ｕへと侵入するのをより一層抑制させることができる。
【００７９】
〔第２実施形態〕
次に、図８を参照して、上部スクリーン６Ｕと下部スクリーン６Ｌを持つ第２実施形態のプリーツスクリーンを説明する。尚、第１実施形態と同様な構成要素には同一の参照番号を付している。
【００８０】
図８に示す第２実施形態のプリーツスクリーンは、上部スクリーン６Ｕに設ける挿通孔４Ｕの位置を、下部スクリーン６Ｌに設ける挿通孔４Ｌと比較して室内側にオフセットさせている点で第２実施形態とは相違しており、その他の点は第１実施形態と同様である。
【００８１】
即ち、図８（ｂ）に示すように、下部スクリーン６Ｌの前後方向幅の略中央部に設けられる挿通孔４Ｌに挿通される下側昇降コード３Ｌは、第１実施形態と同様に、ヘッドボックス１から、上部スクリーン６Ｕに設けられる挿通孔４Ｕに挿通されることなく、中間レール５の背面を経るよう迂回させて当該上部スクリーン６Ｕの背面を垂下しているが、上側昇降コード３Ｕについては、第１実施形態とは異なり、室内側にオフセットさせてヘッドボックス１から垂下し中間レール５を支持するようにしている。
【００８２】
このため、挿通孔４Ｕについては、上側昇降コード３Ｕが中間レール５の前後方向幅（図示する幅２×ａ）の略中央部より前方に垂下させて中間レール５の前面から距離ｂ（＜ａ）で中間レール５を支持するように、上部スクリーン６Ｕの前方に位置させている。これにより、下側昇降コード３Ｌを中間レール５の背面を経るように迂回させて垂下させても、中間レール５の傾斜を抑制し、ほぼ水平を保つようにすることができる。
【００８３】
第２実施形態のプリーツスクリーンは、挿通孔４Ｕ，４Ｌの孔径、上側昇降コード３Ｕ及び下側昇降コード３Ｌのコード径、及び上側昇降コード３Ｕ及び下側昇降コード３Ｌの正面視の配設位置は、第１実施形態と同様に構成することができる。
【００８４】
従って、第２実施形態のプリーツスクリーンは、上述した第１実施形態の利点を全て包含して、尚且つ中間レール５の傾斜を抑制してほぼ水平に保つようにすることができる。
【００８５】
〔第３実施形態〕
次に、図９を参照して、上部スクリーン６Ｕと下部スクリーン６Ｌを持つ第３実施形態のプリーツスクリーンを説明する。尚、第１実施形態と同様な構成要素には同一の参照番号を付している。
【００８６】
図９に示す第３実施形態のプリーツスクリーンは、挿通孔４Ｕ及び挿通孔４Ｌの双方を、それぞれ上部スクリーン６Ｕ及び下部スクリーン６Ｌの前後方向幅の略中央部に設けているが、上部スクリーン６Ｕの挿通孔４Ｕ及び下部スクリーン６Ｌの挿通孔４Ｌの双方に対し下側昇降コード３Ｌを挿通させ、上側昇降コード３Ｕについては上部スクリーン６Ｕの背面側で垂下させるように構成している点で第１実施形態とは相違しており、その他の点は第１実施形態と同様である。
【００８７】
即ち、図９（ｂ）に示すように、ヘッドボックス１から垂下する下側昇降コード３Ｌは、上部スクリーン６Ｕの挿通孔４Ｕに挿通された後、中間レール５の前後方向幅（図示する幅２×ａ）のほぼ中央部に形成される貫通路５ａを経て中間レール５を貫通し、その後、下部スクリーン６Ｌの挿通孔４Ｌに挿通されて、ボトムレール７に接続される。
【００８８】
一方、ヘッドボックス１から垂下する上側昇降コード３Ｕは、上部スクリーン６Ｕの背面側で垂下されて、中間レール５に接続される。上部スクリーン６Ｕの背面側に昇降コードを垂下させる技法としては、図５（ａ）、 図６（ａ）、或いは図７（ａ），（ｂ），（ｃ）に示す技法を応用することができる。
【００８９】
このため、挿通孔４Ｕ，４Ｌの各スクリーンに対する形成位置については第１実施形態と同様とすることができるが、挿通孔４Ｕ，４Ｌには下側昇降コード３Ｌのみを挿通させており、この下側昇降コード３Ｌをヘッドボックス１から中間レール５を貫通しボトムレール７へ直線状に垂下させるため、中間レール５の傾斜を抑制し、ほぼ水平を保つようにすることができる。
【００９０】
そして、ヘッドボックス１から垂下する上側昇降コード３Ｕは、上部スクリーン６Ｕの背面側で垂下されて中間レール５の背面から距離ｂ（＜ａ）で中間レール５を支持するように中間レール５に接続されるため、上部スクリーン６Ｕに対し、この上側昇降コード３Ｕを挿通させるための挿通孔を設けていない。
【００９１】
第３実施形態のプリーツスクリーンにおいても、挿通孔４Ｕ，４Ｌの孔径、上側昇降コード３Ｕ及び下側昇降コード３Ｌのコード径、及び上側昇降コード３Ｕ及び下側昇降コード３Ｌの正面視の配設位置は、第１実施形態と同様に構成することができる。
【００９２】
従って、第３実施形態のプリーツスクリーンは、上述した第１実施形態の利点を全て包含し、尚且つ中間レール５の傾斜を抑制してほぼ水平に保つようにすることができる。
【００９３】
〔第４実施形態〕
次に、図１０を参照して、上部スクリーン６Ｕと下部スクリーン６Ｌを持つ第４実施形態のプリーツスクリーンを説明する。尚、第１実施形態と同様な構成要素には同一の参照番号を付している。
【００９４】
図１０に示す第４実施形態のプリーツスクリーンは、上部スクリーン６Ｕの前後方向幅の略中央部にて、下側昇降コード３Ｌを挿通させる第１の挿通孔４Ｕと上側昇降コード３Ｕを挿通させる第２の挿通孔４Ｕを前後に並設し、挿通孔４Ｌは下部スクリーン６Ｌの前後方向幅の略中央部に設けて、上側昇降コード３Ｕだけでなく、下側昇降コード３Ｌについてもヘッドボックス１から中間レール５を経てボトムレール７まで、上部スクリーン６Ｕ及び下部スクリーン６Ｌの前後方向幅の略中央部で垂下させるように構成している点で
第１実施形態とは相違しており、その他の点は第１実施形態と同様である。
【００９５】
即ち、図１０（ａ）における生地面視で示すように、上部スクリーン６Ｕには、その前後方向幅の略中央部にて、下側昇降コード３Ｌを挿通させる第１の挿通孔４Ｕと上側昇降コード３Ｕを挿通させる第２の挿通孔４Ｕが前後に並設されている。下部スクリーン６Ｌには、第１実施形態と同様に、その前後方向幅の略中央部にて、下側昇降コード３Ｌを挿通させる挿通孔４Ｌが設けられている。
【００９６】
そして、図１０（ｂ）に示すように、ヘッドボックス１から垂下する下側昇降コード３Ｌは、上部スクリーン６Ｕの当該第１の挿通孔４Ｕに挿通された後、中間レール５の前後方向幅（図示する幅２×ａ）のほぼ中央部に形成される貫通路５ａを経て中間レール５を貫通し、その後、下部スクリーン６Ｌの挿通孔４Ｌに挿通されて、ボトムレール７に接続される。
【００９７】
一方、ヘッドボックス１から垂下する上側昇降コード３Ｕは、第１実施形態と同様に、上部スクリーン６Ｕの第２の挿通孔４Ｕに挿通されて、中間レール５に接続される。
【００９８】
このため、上部スクリーン６Ｕにおける前後に並設される一対の挿通孔４Ｕのうち一方と、下部スクリーン６Ｌにおける挿通孔４Ｌには下側昇降コード３Ｌのみを挿通させており、この下側昇降コード３Ｌをヘッドボックス１から中間レール５を貫通しボトムレール７へ直線状に垂下させるため、中間レール５の傾斜を抑制し、ほぼ水平を保つようにすることができる。
【００９９】
そして、上部スクリーン６Ｕにおける当該一対の挿通孔４Ｕのうち他方には、ヘッドボックス１から垂下する上側昇降コード３Ｕのみを挿通させている。
【０１００】
第４実施形態のプリーツスクリーンにおいても、各挿通孔４Ｕ，４Ｌの孔径、上側昇降コード３Ｕ及び下側昇降コード３Ｌのコード径、及び上側昇降コード３Ｕ及び下側昇降コード３Ｌの正面視の配設位置は、第１実施形態と同様に構成することができる。
【０１０１】
従って、第４実施形態のプリーツスクリーンは、上述した第１実施形態の利点を全て包含し、尚且つ中間レール５の傾斜を抑制してほぼ水平に保つようにすることができる。
【０１０２】
尚、本実施形態の例では、図１１（ａ）に示すように、下側昇降コード３Ｌと上側昇降コード３Ｕとを個別に挿通させるよう前後に並設される一対の挿通孔４Ｕを上部スクリーン６Ｕの前後方向幅の略中央部に設けることで、下側昇降コード３Ｌをヘッドボックス１から中間レール５を経てボトムレール７に接続されるまで直線状に垂下させる例を説明したが、図１１（ｂ）に示すように、この一対の挿通孔４Ｕの間隔を上部スクリーン６Ｕの前後方向幅で離間させて形成してもよく、この場合、下側昇降コード３Ｌを中間レール５の背面に迂回させて垂下させる構成とすることができる。
【０１０３】
〔更なる実施形態〕
上述した各実施形態の実施例及び変形例から更に発展させて、下側昇降コード３Ｌを中間レール５の背面に迂回させて垂下させる際に、中間レール５に対する干渉抵抗の緩和や下部スクリーン６Ｌの昇降性能を向上させるために、下側昇降コード３Ｌをより直線的に下部スクリーン６Ｌに係合させて垂下させた実施形態とすることができる。
【０１０４】
例えば、代表して第１実施形態からの変形例として、図１２乃至図１４には例１〜６の実施形態を簡易的に図示しており、以下、順に説明する。
【０１０５】
（例１）
まず、図１２（ａ）に示す例１の実施形態では、上部スクリーン６Ｕを昇降させるための上側昇降コード３Ｕは上部スクリーン６Ｕの挿通孔４Ｕに挿通させ、下部スクリーン６Ｌを昇降させるための下側昇降コード３Ｌは上部スクリーン６Ｕの挿通孔４Ｕに挿通させず、中間レール５の背面を経るよう迂回させて、下部スクリーン６Ｌの前後方向幅中央から後方にオフセットした位置に形成した挿通孔４Ｌに挿通させている。
【０１０６】
図１２（ａ）に示す例１の実施形態における上部スクリーン６Ｕの挿通孔４Ｕについては、限定するものではないが、本例では、上部スクリーン６Ｕにおける上下方向多数段にジグザグ状に折り曲げられた各段（一段が“くの字”部分）において、上部スクリーン６Ｕの前後方向幅中央に形成され、中間レール５の前後方向幅（図示する幅２×ａ）のほぼ中央で上側昇降コード３Ｕが垂下する構成となっている。
【０１０７】
一方、図１２（ａ）に示す例１の実施形態における下部スクリーン６Ｌの挿通孔４Ｌについては、下部スクリーン６Ｌにおける上下方向多数段にジグザグ状に折り曲げられた各段（一段が“くの字”部分）において、下部スクリーン６Ｌの前後方向幅中央から後方にオフセットした位置に形成され、即ち下部スクリーン６Ｌの各段における前後方向の前方から長さｂ’の位置、後方から長さｃ’（＜ｂ’）の位置に挿通孔４Ｌの孔中心が位置している。また、中間レール５の前後方向の前方から長さｂの位置、後方から長さｃ（＜ｂ）の位置で下側昇降コード３Ｌが垂下する構成となっている。
【０１０８】
尚、図１２（ａ）に示す例１の実施形態では、上部スクリーン６Ｕと下部スクリーン６Ｌの前後方向の生地幅は同等となっており、上部スクリーン６Ｕの前後方向幅中央の位置Ｏと、下部スクリーン６Ｌの前後方向幅中央の位置Ｏ’を同等位置として、上部スクリーン６Ｕと下部スクリーン６Ｌをそれぞれ畳み込んだ際に、上部スクリーン６Ｕと下部スクリーン６Ｌが前後方向にほとんどずれない構成となっている。
【０１０９】
このように、下側昇降コード３Ｌを下部スクリーン６Ｌの前後方向幅中央から後方にオフセットした位置に形成した挿通孔４Ｌに挿通させるよう構成することで、下側昇降コード３Ｌを中間レール５の背面に迂回させて垂下させる際に、下側昇降コード３Ｌをより直線的に下部スクリーン６Ｌに係合させて垂下させることができ、中間レール５に対する干渉抵抗の緩和や下部スクリーン６Ｌの昇降性能を向上させることができる。
【０１１０】
（例２）
次に、図１２（ｂ）に示す例２の実施形態では、上部スクリーン６Ｕを昇降させるための上側昇降コード３Ｕは上部スクリーン６Ｕの挿通孔４Ｕに挿通させ、下部スクリーン６Ｌを上部スクリーン６Ｕより後方にオフセットさせた上で、下部スクリーン６Ｌを昇降させるための下側昇降コード３Ｌは上部スクリーン６Ｕの挿通孔４Ｕに挿通させず、中間レール５の背面を経るよう迂回させて、下部スクリーン６Ｌの前後方向幅中央に形成した挿通孔４Ｌに挿通させている。
【０１１１】
図１２（ｂ）に示す例２の実施形態における上部スクリーン６Ｕの挿通孔４Ｕについては、限定するものではないが、本例では、上部スクリーン６Ｕにおける上下方向多数段にジグザグ状に折り曲げられた各段（一段が“くの字”部分）において、上部スクリーン６Ｕの前後方向幅中央に形成され、中間レール５の前後方向幅（図示する幅２×ａ）のほぼ中央で上側昇降コード３Ｕが垂下する構成となっている。
【０１１２】
一方、図１２（ｂ）に示す例２の実施形態における下部スクリーン６Ｌの挿通孔４Ｌについても、下部スクリーン６Ｌにおける上下方向多数段にジグザグ状に折り曲げられた各段（一段が“くの字”部分）において下部スクリーン６Ｌの前後方向幅中央に形成され、即ち下部スクリーン６Ｌの各段における前後方向幅中央（前方からも後方からも長さａ’の位置）に挿通孔４Ｌの孔中心が位置している。
【０１１３】
ただし、図１２（ｂ）に示す例２の実施形態では、上部スクリーン６Ｕと下部スクリーン６Ｌの前後方向の生地幅は同等としながら、下部スクリーン６Ｌの前後方向幅中央の位置Ｏ’の位置を、上部スクリーン６Ｕの前後方向幅中央の位置Ｏから後方に長さｄ（＞０）でオフセットさせており、中間レール５の前後方向の前方から長さｂの位置、後方から長さｃ（＜ｂ）の位置で下側昇降コード３Ｌが垂下する構成となっている。従って、上部スクリーン６Ｕと下部スクリーン６Ｌをそれぞれ畳み込んだ際に、上部スクリーン６Ｕと下部スクリーン６Ｌが前後方向でずれることを許容した構成となっている。
【０１１４】
このように、下部スクリーン６Ｌを上部スクリーン６Ｕに対し相対的に後方にオフセットさせるよう構成することで、下側昇降コード３Ｌを中間レール５の背面に迂回させて垂下させる際に、下側昇降コード３Ｌをより直線的に下部スクリーン６Ｌに係合させて垂下させることができ、中間レール５に対する干渉抵抗の緩和や下部スクリーン６Ｌの昇降性能を向上させることができる。
【０１１５】
（例３）
次に、図１３（ａ）に示す例３の実施形態では、上部スクリーン６Ｕを昇降させるための上側昇降コード３Ｕは上部スクリーン６Ｕの挿通孔４Ｕに挿通させ、下部スクリーン６Ｌは上部スクリーン６Ｕより前後方向幅を大きく形成した上で、下部スクリーン６Ｌを昇降させるための下側昇降コード３Ｌは上部スクリーン６Ｕの挿通孔４Ｕに挿通させず、中間レール５の背面を経るよう迂回させて、下部スクリーン６Ｌの前後方向幅中央に形成した挿通孔４Ｌに挿通させている。
【０１１６】
図１３（ａ）に示す例３の実施形態における上部スクリーン６Ｕの挿通孔４Ｕについては、限定するものではないが、本例では、上部スクリーン６Ｕにおける上下方向多数段にジグザグ状に折り曲げられた各段（一段が“くの字”部分）において、上部スクリーン６Ｕの前後方向幅中央に形成され、中間レール５の前後方向幅（図示する幅２×ａ）のほぼ中央で上側昇降コード３Ｕが垂下する構成となっている。
【０１１７】
一方、図１３（ａ）に示す例３の実施形態における下部スクリーン６Ｌの挿通孔４Ｌについては、下部スクリーン６Ｌにおける上下方向多数段にジグザグ状に折り曲げられた各段（一段が“くの字”部分）において、下部スクリーン６Ｌの前後方向幅中央から後方にオフセットした位置に形成され、即ち下部スクリーン６Ｌの各段における前後方向の前方から長さｂ’の位置、後方から長さｃ’（＜ｂ’）の位置に挿通孔４Ｌの孔中心が位置している。
【０１１８】
特に、図１３（ａ）に示す例３の実施形態では、下部スクリーン６Ｌは上部スクリーン６Ｕより前後方向幅が大きくなるよう形成されている。このため、下部スクリーン６Ｌを昇降させるための下側昇降コード３Ｌは、上部スクリーン６Ｕの後方から、中間レール５の背面を経て、下部スクリーン６Ｌの後方へと到るまで、屈曲なく垂下させることができる。
【０１１９】
尚、図１３（ａ）に示す例３の実施形態では、下部スクリーン６Ｌは上部スクリーン６Ｕより前後方向幅が大きくなるよう形成した上で、下部スクリーン６Ｌの前後方向幅中央の位置Ｏ’の位置を、上部スクリーン６Ｕの前後方向幅中央の位置Ｏから後方に長さｄ（＞０）でオフセットさせており、中間レール５の前後方向の前方から長さｂの位置、後方から長さｃ（＜ｂ）の位置で下側昇降コード３Ｌが垂下する構成となっている。
【０１２０】
ただし、図１３（ａ）に示す例３の実施形態において、下部スクリーン６Ｌは上部スクリーン６Ｕより前後方向幅が大きくなるよう形成した上で、上述した図１２（ａ）に示す例１のように、上部スクリーン６Ｕの前後方向幅中央の位置Ｏと、下部スクリーン６Ｌの前後方向幅中央の位置Ｏ’を同等位置として、中間レール５の前後方向の前方から長さｂの位置、後方から長さｃ（＜ｂ）の位置で下側昇降コード３Ｌが垂下する構成とすることもできる。
【０１２１】
このように、下部スクリーン６Ｌを上部スクリーン６Ｕより前後方向幅が大きくなるよう構成することで、下側昇降コード３Ｌを中間レール５の背面に迂回させて垂下させる際に、下側昇降コード３Ｌをほぼ直線的に下部スクリーン６Ｌに係合させて垂下させることができ、中間レール５に対する干渉抵抗の緩和や下部スクリーン６Ｌの昇降性能を向上させることができる。
【０１２２】
（例４）
次に、図１３（ｂ）に示す例４の実施形態では、上部スクリーン６Ｕを昇降させるための上側昇降コード３Ｕは上部スクリーン６Ｕの挿通孔４Ｕに挿通させ、下部スクリーン６Ｌを昇降させるための下側昇降コード３Ｌは上部スクリーン６Ｕの挿通孔４Ｕに挿通させず、中間レール５の背面を経るよう迂回させて、下部スクリーン６Ｌにおける上下方向多数段にジグザグ状に折り曲げられた各段の後端部に設けられた係合片６１に形成された挿通孔６２に挿通させている。尚、下部スクリーン６Ｌは、係合片６１が下部スクリーン６Ｌにおける各段の後端部に設けられている生地を図示しているが、各段の後端部だけでなく、各段の前端部にも係合片６１が設けられている生地であってもよい。
【０１２３】
図１３（ｂ）に示す例４の実施形態における上部スクリーン６Ｕの挿通孔４Ｕについては、限定するものではないが、本例では、上部スクリーン６Ｕにおける上下方向多数段にジグザグ状に折り曲げられた各段（一段が“くの字”部分）において、上部スクリーン６Ｕの前後方向幅中央に形成され、中間レール５の前後方向幅（図示する幅２×ａ）のほぼ中央で上側昇降コード３Ｕが垂下する構成となっている。
【０１２４】
一方、下側昇降コード３Ｌは上部スクリーン６Ｕの挿通孔４Ｕに挿通させず、中間レール５の背面を経るよう迂回させて、下部スクリーン６Ｌにおける上下方向多数段にジグザグ状に折り曲げられた各段（一段が“くの字”部分）の係合片６１に設けられた挿通孔６２に挿通させている。
【０１２５】
尚、図１３（ｂ）に示す例４の実施形態では、上部スクリーン６Ｕと下部スクリーン６Ｌの前後方向の生地幅は異なっているが同等でもよく、上部スクリーン６Ｕの前後方向幅中央の位置Ｏと下部スクリーン６Ｌの前後方向幅中央の位置Ｏ’を同等位置としているが、下部スクリーン６Ｌの前後方向幅中央の位置Ｏ’の位置を、上部スクリーン６Ｕの前後方向幅中央の位置Ｏから後方又は前方にオフセットさせてもよい。
【０１２６】
このように、下側昇降コード３Ｌを下部スクリーン６Ｌにおける各段の係合片６１に設けられた挿通孔６２に挿通させるよう構成することで、下側昇降コード３Ｌを中間レール５の背面に迂回させて垂下させる際に、下側昇降コード３Ｌをほぼ直線的に下部スクリーン６Ｌに係合させて垂下させることができ、中間レール５に対する干渉抵抗の緩和や下部スクリーン６Ｌの昇降性能を向上させることができる。
【０１２７】
また、図１３（ｂ）に示す例４の実施形態では、下部スクリーン６Ｌに対し挿通孔４Ｌを設けていないので、挿通孔４Ｌからの光漏れが無くなり下部スクリーン６Ｌを遮光性のドレープ生地で構成する場合などでは特に有効になる。
【０１２８】
（例５）
次に、図１４（ａ）に示す例５の実施形態では、上部スクリーン６Ｕを昇降させるための上側昇降コード３Ｕは上部スクリーン６Ｕの挿通孔４Ｕに挿通させ、下部スクリーン６Ｌを昇降させるための下側昇降コード３Ｌは上部スクリーン６Ｕの挿通孔４Ｕに挿通させず、中間レール５の背面を経るよう迂回させて、下部スクリーン６Ｌにおける上下方向多数段にジグザグ状に折り曲げられた各段に形成した挿通孔４Ｌに挿通させている。ただし、この下部スクリーン６Ｌにおける各段の挿通孔４Ｌは、最上段から下段に向かうに従って、その一部又は全部が後方から前方へとオフセットした位置に形成されている。
【０１２９】
図１４（ａ）に示す例５の実施形態における上部スクリーン６Ｕの挿通孔４Ｕについては、限定するものではないが、本例では、上部スクリーン６Ｕにおける上下方向多数段にジグザグ状に折り曲げられた各段（一段が“くの字”部分）において、上部スクリーン６Ｕの前後方向幅中央に形成され、中間レール５の前後方向幅（図示する幅２×ａ）のほぼ中央で上側昇降コード３Ｕが垂下する構成となっている。
【０１３０】
一方、図１４（ａ）に示す例５の実施形態における下部スクリーン６Ｌの挿通孔４Ｌについては、下部スクリーン６Ｌにおける上下方向多数段にジグザグ状に折り曲げられた各段（一段が“くの字”部分）において、最上段から下段に向かうに従って、前後方向幅中央から後方にオフセットした位置を徐々に、前後方向幅中央へとシフトさせるように形成された挿通孔を含んでいる。
【０１３１】
即ち、図示するように、下部スクリーン６Ｌにおける最上段から下段に向かうに従って、各段の後端部から長さｃ１’，ｃ２’（＞ｃ１’），ｃ３’（＞ｃ２’） ，ｃ４’（＞ｃ３’） ，ｃ５’（＞ｃ４’）の位置にシフトして形成された挿通孔４Ｌを含んでいる。尚、長さｃ５’は、当該段の前後方向の前端部からの長さｂ’より短い。
【０１３２】
そして、本例では、限定するものではないが、ｃ５’の位置に挿通孔４Ｌが形成される当該段より下方の段では、前後方向幅中央（前方からも後方からも長さａ’の位置）に挿通孔４Ｌの孔中心が位置するようにして、いずれ中間レール５の前後方向幅（図示する幅２×ａ）のほぼ中央で上側昇降コード３Ｕが垂下するようにしている。
【０１３３】
尚、図１４（ａ）に示す例５の実施形態では、上部スクリーン６Ｕと下部スクリーン６Ｌの前後方向の生地幅は同等となっているが異なっていてもよく、上部スクリーン６Ｕの前後方向幅中央の位置Ｏと下部スクリーン６Ｌの前後方向幅中央の位置Ｏ’を同等位置としているが、下部スクリーン６Ｌの前後方向幅中央の位置Ｏ’の位置を、上部スクリーン６Ｕの前後方向幅中央の位置Ｏから後方又は前方にオフセットさせてもよい。
【０１３４】
このように、下側昇降コード３Ｌを下部スクリーン６Ｌの最上段から下段に向かうに従って、前後方向幅中央から後方にオフセットした位置を徐々に、前後方向幅中央へとシフトさせるように形成された挿通孔を含むよう構成することで、下側昇降コード３Ｌを中間レール５の背面に迂回させて垂下させる際に、下側昇降コード３Ｌをより直線的に下部スクリーン６Ｌに係合させて垂下させることができ、中間レール５に対する干渉抵抗の緩和や下部スクリーン６Ｌの昇降性能を向上させることができる。
【０１３５】
（例６）
次に、図１４（ｂ）に示す例６の実施形態では、上部スクリーン６Ｕを昇降させるための上側昇降コード３Ｕは上部スクリーン６Ｕの挿通孔４Ｕに挿通させ、下部スクリーン６Ｌを昇降させるための下側昇降コード３Ｌは上部スクリーン６Ｕの挿通孔４Ｕに挿通させず、中間レール５の背面を経るよう迂回させて、下部スクリーン６Ｌにおける上下方向多数段にジグザグ状に折り曲げられた各段のうち少なくとも最上段を含む所定段の後方を垂下させ、当該所定段より下方に設けられた挿通孔４Ｌに挿通させている。
【０１３６】
図１４（ｂ）に示す例６の実施形態における上部スクリーン６Ｕの挿通孔４Ｕについては、限定するものではないが、本例では、上部スクリーン６Ｕにおける上下方向多数段にジグザグ状に折り曲げられた各段（一段が“くの字”部分）において、上部スクリーン６Ｕの前後方向幅中央に形成され、中間レール５の前後方向幅（図示する幅２×ａ）のほぼ中央で上側昇降コード３Ｕが垂下する構成となっている。
【０１３７】
一方、図１４（ｂ）に示す例６の実施形態における下部スクリーン６Ｌの挿通孔４Ｌについては、下部スクリーン６Ｌにおける上下方向多数段にジグザグ状に折り曲げられた各段（一段が“くの字”部分）において、最上段から下段に向かうに従って、前後方向幅中央から後方にオフセットした位置を徐々に、前後方向幅中央へとシフトさせるように形成された挿通孔を含んでいる。
【０１３８】
即ち、図示する例では、下部スクリーン６Ｌにおける最上段の直下の段から下段に向かうに従って、当該最上段の直下の段の後端部から長さｃ１’，ｃ２’（＞ｃ１’），ｃ３’（＞ｃ２’）の位置にシフトして形成された挿通孔４Ｌを含んでいる。尚、長さｃ３’は、当該段の前後方向の前端部からの長さｂ’より短い。
【０１３９】
そして、本例では、限定するものではないが、ｃ３’の位置に挿通孔４Ｌが形成される当該段より下方では、前後方向幅中央（前方からも後方からも長さａ’の位置）に挿通孔４Ｌの孔中心が位置するようにして、いずれ中間レール５の前後方向幅（図示する幅２×ａ）のほぼ中央で上側昇降コード３Ｕが垂下するようにしている。
【０１４０】
ただし、図１４（ｂ）に示す例６の実施形態の主旨として、下側昇降コード３Ｌが下部スクリーン６Ｌにおける少なくとも最上段の後方を垂下するものであればよく、当該後方を垂下させた段より下方の段の挿通孔４Ｌの位置として、ｃ１’＝ｃ２’＝ｃ３’≦ａ’を満たすものとしてもよい。
【０１４１】
また、図１４（ｂ）に示す例６の実施形態では、上部スクリーン６Ｕと下部スクリーン６Ｌの前後方向の生地幅は同等となっているが異なっていてもよく、上部スクリーン６Ｕの前後方向幅中央の位置Ｏと下部スクリーン６Ｌの前後方向幅中央の位置Ｏ’を同等位置としているが、下部スクリーン６Ｌの前後方向幅中央の位置Ｏ’の位置を、上部スクリーン６Ｕの前後方向幅中央の位置Ｏから後方又は前方にオフセットさせてもよい。
【０１４２】
このように、下側昇降コード３Ｌが下部スクリーン６Ｌにおける少なくとも最上段を含む所定段の後方を垂下するよう構成することで、下側昇降コード３Ｌを中間レール５の背面に迂回させて垂下させる際に、下側昇降コード３Ｌをより直線的に下部スクリーン６Ｌに係合させて垂下させることができ、中間レール５に対する干渉抵抗の緩和や下部スクリーン６Ｌの昇降性能を向上させることができる。
【０１４３】
以上のように、図１２乃至図１４に示す例１〜６の実施形態によれば、下側昇降コード３Ｌを中間レール５の背面に迂回させて垂下させる際に、中間レール５に対する干渉抵抗の緩和や下部スクリーン６Ｌの昇降性能を向上させることができる。そして、図１２乃至図１４に示す例１〜６の適宜組み合わせた更に別の実施形態とすることもできる。また、第１実施形態から更に発展させたものに限らず、他の実施形態に対しても、図１２乃至図１４に示す例１〜６、或いはこれらを適宜組み合わせた更に別の実施形態とすることもできる。
【０１４４】
〔変形例を含み包括的な実施形態〕
図１５乃至図１７は、それぞれ本発明による各実施形態のプリーツスクリーンについて変形例を含み包括的に説明するために代表例として示すプリーツスクリーンにおけるスクリーン周辺の概略的な拡大側面図である。図１５乃至図１７の各々に例示する本発明に係るプリーツスクリーンは、上部スクリーン６Ｕに形成された挿通孔４Ｕには上部スクリーン６Ｕを昇降させるための上側昇降コード３Ｕと下部スクリーン６Ｌを昇降させるための下側昇降コード３Ｌのうち一方の昇降コードしか挿通させないようにして、当該挿通孔４Ｕからの光漏れを抑制するものである。
【０１４５】
まず、図１５（ａ）乃至図１５（ｅ）には、本発明に係るプリーツスクリーンの代表的な実施形態の例として、ヘッドボックス１から垂下する上側昇降コード３Ｕは、上部スクリーン６Ｕに形成される挿通孔４Ｕに挿通させ上部スクリーン６Ｕを昇降可能とするよう中間レール５を吊下している。また、ヘッドボックス１から垂下する下側昇降コード３Ｌは、上部スクリーン６Ｕの背面又は前面を垂下させることで上部スクリーン６Ｕに形成される挿通孔４Ｕに挿通させず、下部スクリーン６Ｌの前後方向の中央、該中央より前方、或いは該中央より後方に形成される挿通孔４Ｌに挿通させて下部スクリーン６Ｌを昇降可能とするようボトムレール７を吊下している例を示している。
【０１４６】
より具体的に、図１５（ａ）に示す実施形態では、上側昇降コード３Ｕは上部スクリーン６Ｕの各段に形成した挿通孔４Ｕに挿通させている。下側昇降コード３Ｌは上部スクリーン６Ｕの背面を垂下させることで上部スクリーン６Ｕの挿通孔４Ｕに挿通させず、中間レール５を経て（例えば図示するように中間レール５を屈曲貫通させる他、中間レール５の後端面を迂回させてもよい）、下部スクリーン６Ｌの各段に形成した挿通孔４Ｌに挿通させている（下部スクリーン６Ｌの最上段から下方所定段の挿通孔４Ｌに対して非挿通でもよい）。本例では、上部スクリーン６Ｕにおける各段の挿通孔４Ｕは、上部スクリーン６Ｕの前後方向の中央より後方へとオフセットした位置に形成されている（換言すると、上部スクリーン６Ｕに対し中間レール５の前後方向の前方から長さｄの位置、後方から長さｅ（＜ｄ）の位置で上側昇降コード３Ｕが垂下する構成となっている）。また、下部スクリーン６Ｌにおける各段の挿通孔４Ｌについても、下部スクリーン６Ｌの前後方向の中央より後方へとオフセットした位置に形成されている（換言すると、下部スクリーン６Ｌに対し中間レール５の前後方向の前方から長さｂの位置、後方から長さｃ（＜ｂ）の位置で下側昇降コード３Ｌが垂下する構成となっている）。
【０１４７】
次に、図１５（ｂ）に示す実施形態では、上側昇降コード３Ｕは上部スクリーン６Ｕの各段に形成した挿通孔４Ｕに挿通させている。下側昇降コード３Ｌは上部スクリーン６Ｕの背面を垂下させることで上部スクリーン６Ｕの挿通孔４Ｕに挿通させず、中間レール５を経て（例えば図示するように中間レール５を屈曲貫通させる他、中間レール５の後端面を迂回させてもよい）、下部スクリーン６Ｌの各段に形成した挿通孔４Ｌに挿通させている（下部スクリーン６Ｌの最上段から下方所定段の挿通孔４Ｌに対して非挿通でもよい）。本例では、上部スクリーン６Ｕにおける各段の挿通孔４Ｕは、上部スクリーン６Ｕの前後方向の中央より前方へとオフセットした位置に形成されている（換言すると、上部スクリーン６Ｕに対し中間レール５の前後方向の前方から長さｄの位置、後方から長さｅ（＞ｄ）の位置で上側昇降コード３Ｕが垂下する構成となっている）。また、下部スクリーン６Ｌにおける各段の挿通孔４Ｌについては、下部スクリーン６Ｌの前後方向の中央より後方へとオフセットした位置に形成されている（換言すると、下部スクリーン６Ｌに対し中間レール５の前後方向の前方から長さｂの位置、後方から長さｃ（＜ｂ）の位置で下側昇降コード３Ｌが垂下する構成となっている）。
【０１４８】
次に、図１５（ｃ）に示す実施形態では、上側昇降コード３Ｕは上部スクリーン６Ｕの各段に形成した挿通孔４Ｕに挿通させている。下側昇降コード３Ｌは上部スクリーン６Ｕの正面を垂下させることで上部スクリーン６Ｕの挿通孔４Ｕに挿通させず、中間レール５を経て（例えば図示するように中間レール５を屈曲貫通させる他、中間レール５の前端面を迂回させてもよい）、下部スクリーン６Ｌの各段に形成した挿通孔４Ｌに挿通させている（下部スクリーン６Ｌの最上段から下方所定段の挿通孔４Ｌに対して非挿通でもよい）。本例では、上部スクリーン６Ｕにおける各段の挿通孔４Ｕは、上部スクリーン６Ｕの前後方向の中央に形成されている（換言すると、上部スクリーン６Ｕに対し中間レール５の前後方向の前方からも後方からも長さａの位置で上側昇降コード３Ｕが垂下する構成となっている）。また、下部スクリーン６Ｌにおける各段の挿通孔４Ｌについても、下部スクリーン６Ｌの前後方向の中央に形成されている（換言すると、下部スクリーン６Ｌに対し中間レール５の前後方向の前方からも後方からも長さａの位置で上側昇降コード３Ｕが垂下する構成となっている）。
【０１４９】
次に、図１５（ｄ）に示す実施形態では、上側昇降コード３Ｕは上部スクリーン６Ｕの各段に形成した挿通孔４Ｕに挿通させている。下側昇降コード３Ｌは上部スクリーン６Ｕの正面を垂下させることで上部スクリーン６Ｕの挿通孔４Ｕに挿通させず、中間レール５を経て（例えば図示するように中間レール５を屈曲貫通させる他、中間レール５の前端面を迂回させてもよい）、下部スクリーン６Ｌの各段に形成した挿通孔４Ｌに挿通させている（下部スクリーン６Ｌの最上段から下方所定段の挿通孔４Ｌに対して非挿通でもよい）。本例では、上部スクリーン６Ｕにおける各段の挿通孔４Ｕは、上部スクリーン６Ｕの前後方向の中央に形成されている（換言すると、上部スクリーン６Ｕに対し中間レール５の前後方向の前方からも後方からも長さａの位置で上側昇降コード３Ｕが垂下する構成となっている）。また、下部スクリーン６Ｌにおける各段の挿通孔４Ｌについては、下部スクリーン６Ｌの前後方向の中央より前方へとオフセットした位置に形成されている（換言すると、下部スクリーン６Ｌに対し中間レール５の前後方向の前方から長さｂの位置、後方から長さｃ（＞ｂ）の位置で下側昇降コード３Ｌが垂下する構成となっている）。
【０１５０】
次に、図１５（ｅ）に示す実施形態では、上側昇降コード３Ｕは上部スクリーン６Ｕの各段に形成した挿通孔４Ｕに挿通させている。下側昇降コード３Ｌは上部スクリーン６Ｕの正面を垂下させることで上部スクリーン６Ｕの挿通孔４Ｕに挿通させず、中間レール５を経て（例えば図示するように中間レール５を屈曲貫通させる他、中間レール５の前端面を迂回させてもよい）、下部スクリーン６Ｌの各段に形成した挿通孔４Ｌに挿通させている（下部スクリーン６Ｌの最上段から下方所定段の挿通孔４Ｌに対して非挿通でもよい）。本例では、上部スクリーン６Ｕにおける各段の挿通孔４Ｕは、上部スクリーン６Ｕの前後方向の中央に形成されている（換言すると、上部スクリーン６Ｕに対し中間レール５の前後方向の前方からも後方からも長さａの位置で上側昇降コード３Ｕが垂下する構成となっている）。また、下部スクリーン６Ｌにおける各段の挿通孔４Ｌについては、下部スクリーン６Ｌの前後方向の中央より後方へとオフセットした位置に形成されている（換言すると、下部スクリーン６Ｌに対し中間レール５の前後方向の前方から長さｂの位置、後方から長さｃ（＜ｂ）の位置で下側昇降コード３Ｌが垂下する構成となっている）。
【０１５１】
一方、図１６（ａ）乃至図１６（ｅ）、並びに、図１７（ａ）乃至図１７（ｅ）では、本発明に係るプリーツスクリーンの代表的な実施形態の例として、ヘッドボックス１から垂下する上側昇降コード３Ｕは、上部スクリーン６Ｕに形成される挿通孔４Ｕに挿通させずに上部スクリーン６Ｕを昇降可能とするよう中間レール５を吊下している。また、ヘッドボックス１から垂下する下側昇降コード３Ｌは、上部スクリーン６Ｕに形成される挿通孔４Ｕ及び下部スクリーン６Ｌに形成される挿通孔４Ｌに挿通させて下部スクリーン６Ｌを昇降可能とするようボトムレール７を吊下した例を示している。
【０１５２】
より具体的に、図１６（ａ）に示す実施形態では、上側昇降コード３Ｕは上部スクリーン６Ｕの背面（正面でもよい）を垂下させることで上部スクリーン６Ｕの各段に形成した挿通孔４Ｕに挿通させずに中間レール５を吊下している。下側昇降コード３Ｌは上部スクリーン６Ｕの挿通孔４Ｕに挿通させ、中間レール５を経て下部スクリーン６Ｌの各段に形成した挿通孔４Ｌに挿通させて、屈曲することなく真っ直ぐに鉛直方向に向かって垂下するようにしている。本例では、上部スクリーン６Ｕにおける各段の挿通孔４Ｕは、上部スクリーン６Ｕの前後方向の中央より後方へとオフセットした位置に形成されている（換言すると、上部スクリーン６Ｕに対し中間レール５の前後方向の前方から長さｂの位置、後方から長さｃ（＜ｂ）の位置で上側昇降コード３Ｕが垂下する構成となっている）。同様に、下部スクリーン６Ｌにおける各段の挿通孔４Ｌについても、下部スクリーン６Ｌの前後方向の中央より後方へとオフセットした位置に形成されている（換言すると、下部スクリーン６Ｌに対し中間レール５の前後方向の前方から長さｂの位置、後方から長さｃ（＜ｂ）の位置で下側昇降コード３Ｌが垂下する構成となっている）。
【０１５３】
次に、図１６（ｂ）に示す実施形態では、上側昇降コード３Ｕは上部スクリーン６Ｕの背面（正面でもよい）を垂下させることで上部スクリーン６Ｕの各段に形成した挿通孔４Ｕに挿通させずに中間レール５を吊下している。下側昇降コード３Ｌは上部スクリーン６Ｕの挿通孔４Ｕに挿通させ、中間レール５を経て下部スクリーン６Ｌの各段に形成した挿通孔４Ｌに挿通させて、屈曲することなく真っ直ぐに鉛直方向に向かって垂下するようにしている。本例では、上部スクリーン６Ｕにおける各段の挿通孔４Ｕは、上部スクリーン６Ｕの前後方向の中央に形成されている（換言すると、上部スクリーン６Ｕに対し中間レール５の前後方向の前方からも後方からも長さａの位置で上側昇降コード３Ｕが垂下する構成となっている）。同様に、下部スクリーン６Ｌにおける各段の挿通孔４Ｌについても、下部スクリーン６Ｌの前後方向の中央に形成されている（換言すると、下部スクリーン６Ｌに対し中間レール５の前後方向の前方からも後方からも長さａの位置で下側昇降コード３Ｌが垂下する構成となっている）。
【０１５４】
次に、図１６（ｃ）に示す実施形態では、上側昇降コード３Ｕは上部スクリーン６Ｕの背面（正面でもよい）を垂下させることで上部スクリーン６Ｕの各段に形成した挿通孔４Ｕに挿通させずに中間レール５を吊下している。下側昇降コード３Ｌは上部スクリーン６Ｕの挿通孔４Ｕに挿通させ、中間レール５を経て（例えば図示するように中間レール５を屈曲貫通させる他、中間レール５の後端面を迂回させてもよい）、下部スクリーン６Ｌの各段に形成した挿通孔４Ｌに挿通させている（下部スクリーン６Ｌの最上段から下方所定段の挿通孔４Ｌに対して非挿通でもよい）。本例では、上部スクリーン６Ｕにおける各段の挿通孔４Ｕは、上部スクリーン６Ｕの前後方向の中央より後方へとオフセットした位置に形成されている（換言すると、上部スクリーン６Ｕに対し中間レール５の前後方向の前方から長さｄの位置、後方から長さｅ（＜ｄ）の位置で上側昇降コード３Ｕが垂下する構成となっている）。一方、下部スクリーン６Ｌにおける各段の挿通孔４Ｌについては、下部スクリーン６Ｌの前後方向の中央に形成されている（換言すると、下部スクリーン６Ｌに対し中間レール５の前後方向の前方からも後方からも長さａの位置で下側昇降コード３Ｌが垂下する構成となっている）。
【０１５５】
次に、図１６（ｄ）に示す実施形態では、上側昇降コード３Ｕは上部スクリーン６Ｕの背面（正面でもよい）を垂下させることで上部スクリーン６Ｕの各段に形成した挿通孔４Ｕに挿通させずに中間レール５を吊下している。下側昇降コード３Ｌは上部スクリーン６Ｕの挿通孔４Ｕに挿通させ、中間レール５を経て（例えば図示するように中間レール５を屈曲貫通させる他、中間レール５の後端面を迂回させてもよい）、下部スクリーン６Ｌの各段に形成した挿通孔４Ｌに挿通させている（下部スクリーン６Ｌの最上段から下方所定段の挿通孔４Ｌに対して非挿通でもよい）。本例では、上部スクリーン６Ｕにおける各段の挿通孔４Ｕは、上部スクリーン６Ｕの前後方向の中央より後方へとオフセットした位置に形成されている（換言すると、上部スクリーン６Ｕに対し中間レール５の前後方向の前方から長さｄの位置、後方から長さｅ（＜ｄ）の位置で上側昇降コード３Ｕが垂下する構成となっている）。一方、下部スクリーン６Ｌにおける各段の挿通孔４Ｌについては、下部スクリーン６Ｌの前後方向の中央より前方へとオフセットした位置に形成されている（換言すると、下部スクリーン６Ｌに対し中間レール５の前後方向の前方から長さｂの位置、後方から長さｃ（＞ｂ）の位置で下側昇降コード３Ｌが垂下する構成となっている）。
【０１５６】
次に、図１６（ｅ）に示す実施形態では、上側昇降コード３Ｕは上部スクリーン６Ｕの背面（正面でもよい）を垂下させることで上部スクリーン６Ｕの各段に形成した挿通孔４Ｕに挿通させずに中間レール５を吊下している。下側昇降コード３Ｌは上部スクリーン６Ｕの挿通孔４Ｕに挿通させ、中間レール５を経て（例えば図示するように中間レール５を屈曲貫通させる他、中間レール５の前端面を迂回させてもよい）、下部スクリーン６Ｌの各段に形成した挿通孔４Ｌに挿通させている（下部スクリーン６Ｌの最上段から下方所定段の挿通孔４Ｌに対して非挿通でもよい）。本例では、上部スクリーン６Ｕにおける各段の挿通孔４Ｕは、上部スクリーン６Ｕの前後方向の中央より前方へとオフセットした位置に形成されている（換言すると、上部スクリーン６Ｕに対し中間レール５の前後方向の前方から長さｄの位置、後方から長さｅ（＞ｄ）の位置で上側昇降コード３Ｕが垂下する構成となっている）。一方、下部スクリーン６Ｌにおける各段の挿通孔４Ｌについては、下部スクリーン６Ｌの前後方向の中央に形成されている（換言すると、下部スクリーン６Ｌに対し中間レール５の前後方向の前方からも後方からも長さａの位置で下側昇降コード３Ｌが垂下する構成となっている）。
【０１５７】
次に、図１７（ａ）に示す実施形態では、上側昇降コード３Ｕは上部スクリーン６Ｕの背面（正面でもよい）を垂下させることで上部スクリーン６Ｕの各段に形成した挿通孔４Ｕに挿通させずに中間レール５を吊下している。下側昇降コード３Ｌは上部スクリーン６Ｕの挿通孔４Ｕに挿通させ、中間レール５を経て（例えば図示するように中間レール５を屈曲貫通させる他、中間レール５の後端面を迂回させてもよい）、下部スクリーン６Ｌの各段に形成した挿通孔４Ｌに挿通させている（下部スクリーン６Ｌの最上段から下方所定段の挿通孔４Ｌに対して非挿通でもよい）。本例では、上部スクリーン６Ｕにおける各段の挿通孔４Ｕは、上部スクリーン６Ｕの前後方向の中央より前方へとオフセットした位置に形成されている（換言すると、上部スクリーン６Ｕに対し中間レール５の前後方向の前方から長さｄの位置、後方から長さｅ（＞ｄ）の位置で上側昇降コード３Ｕが垂下する構成となっている）。一方、下部スクリーン６Ｌにおける各段の挿通孔４Ｌについては、下部スクリーン６Ｌの前後方向の中央より後方へとオフセットした位置に形成されている（換言すると、下部スクリーン６Ｌに対し中間レール５の前後方向の前方から長さｂの位置、後方から長さｃ（＜ｂ）の位置で下側昇降コード３Ｌが垂下する構成となっている）。
【０１５８】
次に、図１７（ｂ）に示す実施形態では、上側昇降コード３Ｕは上部スクリーン６Ｕの背面（正面でもよい）を垂下させることで上部スクリーン６Ｕの各段に形成した挿通孔４Ｕに挿通させずに中間レール５を吊下している。下側昇降コード３Ｌは上部スクリーン６Ｕの挿通孔４Ｕに挿通させ、中間レール５を経て下部スクリーン６Ｌの各段に形成した挿通孔４Ｌに挿通させて、屈曲することなく真っ直ぐに鉛直方向に向かって垂下するようにしている。本例では、上部スクリーン６Ｕにおける各段の挿通孔４Ｕは、上部スクリーン６Ｕの前後方向の中央より前方へとオフセットした位置に形成されている（換言すると、上部スクリーン６Ｕに対し中間レール５の前後方向の前方から長さｂの位置、後方から長さｃ（＞ｂ）の位置で上側昇降コード３Ｕが垂下する構成となっている）。同様に、下部スクリーン６Ｌにおける各段の挿通孔４Ｌについても、下部スクリーン６Ｌの前後方向の中央より前方へとオフセットした位置に形成されている（換言すると、下部スクリーン６Ｌに対し中間レール５の前後方向の前方から長さｂの位置、後方から長さｃ（＞ｂ）の位置で下側昇降コード３Ｌが垂下する構成となっている）。
【０１５９】
次に、図１７（ｃ）に示す実施形態では、上側昇降コード３Ｕ（図示する３Ｕ‐１，３Ｕ‐２）は上部スクリーン６Ｕの前後にて対となるように垂下させることで上部スクリーン６Ｕの各段に形成した挿通孔４Ｕに挿通させずに中間レール５をループ吊下している。このように中間レール５をループ吊下するよう上側昇降コード３Ｕを構成したとき、その上側昇降コード３Ｕ‐１，３Ｕ‐２の双方を同時にヘッドボックス１から引き出し、又は引き込むようにするか、或いは上側昇降コード３Ｕ‐１，３Ｕ‐２のいずれか一方をヘッドボックス１等に係止し他方をヘッドボックス１から引き出し、又は引き込むようにすることで、中間レール５及び上部スクリーン６Ｕを昇降させることができる。
下側昇降コード３Ｌは上部スクリーン６Ｕの挿通孔４Ｕに挿通させ、中間レール５を経て下部スクリーン６Ｌの各段に形成した挿通孔４Ｌに挿通させて、屈曲することなく真っ直ぐに鉛直方向に向かって垂下するようにしている。本例では、上部スクリーン６Ｕにおける各段の挿通孔４Ｕは、上部スクリーン６Ｕの前後方向の中央に形成されている（換言すると、上部スクリーン６Ｕに対し中間レール５の前後方向の前方からも後方からも長さａの位置で上側昇降コード３Ｕが垂下する構成となっている）。同様に、下部スクリーン６Ｌにおける各段の挿通孔４Ｌについても、下部スクリーン６Ｌの前後方向の中央に形成されている（換言すると、下部スクリーン６Ｌに対し中間レール５の前後方向の前方からも後方からも長さａの位置で下側昇降コード３Ｌが垂下する構成となっている）。
【０１６０】
次に、図１７（ｄ）に示す実施形態では、上側昇降コード３Ｕ（図示する３Ｕ‐１，３Ｕ‐２）は上部スクリーン６Ｕの前後にて対となるように垂下させることで上部スクリーン６Ｕの各段に形成した挿通孔４Ｕに挿通させずに中間レール５をループ吊下している。このように中間レール５をループ吊下するよう上側昇降コード３Ｕを構成したとき、その上側昇降コード３Ｕ‐１，３Ｕ‐２の双方を同時にヘッドボックス１から引き出し、又は引き込むようにするか、或いは上側昇降コード３Ｕ‐１，３Ｕ‐２のいずれか一方をヘッドボックス１等に係止し他方をヘッドボックス１から引き出し、又は引き込むようにすることで、中間レール５及び上部スクリーン６Ｕを昇降させることができる。
下側昇降コード３Ｌは上部スクリーン６Ｕの挿通孔４Ｕに挿通させ、中間レール５を経て下部スクリーン６Ｌの各段に形成した挿通孔４Ｌに挿通させて、屈曲することなく真っ直ぐに鉛直方向に向かって垂下するようにしている。本例では、上部スクリーン６Ｕにおける各段の挿通孔４Ｕ及び下部スクリーン６Ｌにおける各段の挿通孔４Ｌは、それぞれ各スクリーンの前後方向の中央より後方へとオフセットした位置に形成されているが、前述した幾つかの例で言及したように、それぞれ各スクリーンの前後方向の中央より前方へとオフセットした位置に形成されていてもよいし、下側昇降コード３Ｌを屈曲させて垂下するように形成してもよい。ただし、ヘッドボックス１から中間レール５を経てボトムレール７に至るまで屈曲することなく真っ直ぐに鉛直方向に向かって垂下するように構成することで、昇降操作に係る中間レール５の上下動を抑制することができるため好適である。
【０１６１】
また、図１７（ｅ）に示すように、上側昇降コード３Ｕ（図示する３Ｕ‐１，３Ｕ‐２）を、上部スクリーン６Ｕの前後にて対となるように垂下させる際に、それぞれの上側昇降コード３Ｕ‐１，３Ｕ‐２の下端を中間レール５に取着して吊下してもよい。この場合、その上側昇降コード３Ｕ‐１，３Ｕ‐２の双方を同時にヘッドボックス１から引き出し、又は引き込むようにすることで、中間レール５及び上部スクリーン６Ｕを昇降させることができる。
【０１６２】
尚、図１５乃至図１７に示す各実施形態では、上部スクリーン６Ｕと下部スクリーン６Ｌの前後方向の生地幅は同等となっているが異なっていてもよく、上部スクリーン６Ｕの前後方向幅中央の位置Ｏと下部スクリーン６Ｌの前後方向幅中央の位置Ｏ’を同等位置としているが、下部スクリーン６Ｌの前後方向幅中央の位置Ｏ’の位置を、上部スクリーン６Ｕの前後方向幅中央の位置Ｏから後方又は前方にオフセットさせてもよい。即ち、図１５乃至図１７に示す各実施形態に対し、図１２乃至図１４に示す各実施形態の技法を組み合わせた実施形態とすることもできる。
【０１６３】
以上、特定の実施形態の例を挙げて本発明を説明したが、本発明は前述の実施形態の例に限定されるものではなく、その技術思想を逸脱しない範囲で種々変形可能である。例えば、上下方向に折り曲げ可能としたスクリーンをヘッドボックスから吊下支持する特定の実施形態のプリーツスクリーンの例を説明したが、上下又は前後にスクリーンを吊下する別の実施形態のプリーツスクリーンや、折り畳み可能なハニカム構造の筒体が上下方向に多数連なる構造を有するスクリーンをヘッドボックスから吊下支持し、当該ハニカム構造のスクリーンを昇降可能とするプリーツスクリーンとすることができる。
【０１６４】
また、上述した実施形態の例では、スクリーンの昇降に関する操作手段として特定の例を説明したが、手動及び電動を問わず、任意の形態とすることができる。
【０１６５】
また、上述した第４実施形態では、好適例として、上部スクリーン６Ｕに対し、上部スクリーン６Ｕの昇降用の昇降コード３Ｕを挿通させる第１の挿通孔４Ｕと、下部スクリーン６Ｌの昇降用の昇降コード３Ｌを挿通させる第２の挿通孔４Ｕとが前後方向に並ぶ縦配列に形成する例を説明したが、左右方向に並ぶ横配列に形成する場合でも、挿通孔４Ｕの小径化、及び昇降コード３Ｕ，３Ｌの小径化による光漏れの抑制効果を生じさせ、左右方向に並ぶ横配列の一対の挿通孔４Ｕのうちいずれか一方又は双方を上部スクリーン６Ｕの前後方向における略中央部からオフセットした位置に形成することで、中間レール５の傾き抑制を生じさせる効果に寄与させる形態とすることができる。
【産業上の利用可能性】
【０１６６】
本発明によれば、光漏れを抑制し、特には意匠性の高めることができるので、プリーツスクリーンの用途に有用である。
【符号の説明】
【０１６７】
１  ヘッドボックス
２  ブラケット
３Ｕ  上側昇降コード
３Ｌ  下側昇降コード
４Ｕ，４Ｌ  挿通孔
５  中間レール
６  スクリーン
６Ｕ  上部スクリーン
６Ｌ  下部スクリーン
７  ボトムレール
【図１】
2019070305.tif 000003
【図２】
2019070305.tif 000004
【図３】
2019070305.tif 000005
【図４】
2019070305.tif 000006
【図５】
2019070305.tif 000007
【図６】
2019070305.tif 000008
【図７】
2019070305.tif 000009
【図８】
2019070305.tif 000010
【図９】
2019070305.tif 000011
【図１０】
2019070305.tif 000012
【図１１】
2019070305.tif 000013
【図１２】
2019070305.tif 000014
【図１３】
2019070305.tif 000015
【図１４】
2019070305.tif 000016
【図１５】
2019070305.tif 000017
【図１６】
2019070305.tif 000018
【図１７】
2019070305.tif 000019